(57)【特許請求の範囲】
【請求項１】
着脱可能な第１記録媒体へのデータの記録及び／又は再生を行う第１装置と、
着脱可能な第２記録媒体へのデータの記録及び／又は再生を行う第２装置と、
前記第１装置の作動状態を報知する第１表示部と、
前記第２装置の作動状態を報知する第２表示部とを備えた記録再生装置であって、
前記第１装置と前記第２装置との相対的位置関係と、前記第１表示部と前記第２表示部との相対的位置関係と、が同じであり、
前記記録再生装置の作動状態を報知する第３表示部を備え、
前記第３表示部は前記第１表示部と前記第２表示部との間に配置され、
前記第１装置の記録媒体着脱部である第１着脱口と、前記第２装置の記録媒体着脱部である第２着脱口とを備え、
前記第１着脱口と前記第２着脱口とを閉状態において覆う開閉パネルを備え、
前記第１表示部、前記第２表示部、前記第３表示部は、前記閉状態において利用者に認識可能な位置に備えられていることを特徴とする記録再生装置。
【請求項２】
前記第１着脱口と前記第２着脱口との相対的位置関係と、前記第１表示部と前記第２表示部との相対的位置関係と、が同じであることを特徴とする請求項１に記載の記録再生装置。
【請求項３】
前記開閉パネルの開状態において露出する前記第１および第２着脱口の取付け面と同一面上に、前記記録再生装置の操作釦を兼用した表示部が設けられていることを特徴とする請求項１に記載の記録再生装置。
【請求項４】
前記第１着脱口と前記第２着脱口とを前記開閉パネルが開状態において露出する面上に備え、
当該面上には、前記第１表示部、前記第２表示部、前記第３表示部とは異なる表示部であって、第１表示部と同一内容の情報を報知する第４表示部と、第２表示部と同一内容の情報を報知する第５表示部と、第３表示部と同一内容の情報を報知する第６表示部とが形成されていることを特徴とする請求項１に記載の記録再生装置。
【請求項５】
前記第１装置または前記第２装置は、一方の装置が再生専用であり、他方の装置が記録専用であることを特徴とする請求項１から４のいずれか１項に記載の記録再生装置。
【請求項６】
第３記録媒体へのデータの記録及び／又は再生を行う第３装置を備え、
前記第３表示部は、前記第３装置の作動状態を報知することを特徴とする請求項１から５のいずれか１項に記載の記録再生装置。
【請求項７】
前記第３表示部は、前記第１装置，第２装置，第３装置のうちの少なくとも２つの装置が共同して行う動作の状態を報知することを特徴とする請求項６に記載の記録再生装置。
【請求項８】
前記第３表示部は、前記記録再生装置が外部から取得した、放送信号の番組選局情報、外部入力種別情報、外部機器情報、外部機器との通信種別情報の少なくとも１つを含む情報を報知することを特徴とする請求項１から７のいずれか１項に記載の記録再生装置。
【請求項９】
前記第３装置は、ハードディスク装置または半導体記憶装置であることを特徴とする請求項６または７に記載の記録再生装置。
【請求項１０】
前記第１表示部または前記第２表示部の少なくともいずれか一方は、色表示又はキャラクター表示を含む識別表示に基づいて前記作動状態を報知することを特徴とする請求項１から９のいずれか１項に記載の記録再生装置。
【請求項１１】
前記第３表示部は、色表示又はキャラクター表示を含む識別表示に基づいて前記作動状態を報知することを特徴とする請求項１から１０のいずれか１項に記載の記録再生装置。
【請求項１２】
前記第３表示部は、文字又は記号の少なくともいずれか一方を表示することによって、前記作動状態を報知することを特徴とする請求項１から１１のいずれか１項に記載の記録再生装置。
【請求項１３】
１つの筐体内に、記録媒体に基づく情報の記録および／または再生を行う記録再生部を複数備え、複数の記録再生部のうちの少なくとも第１記録再生部と第２記録再生部とが、各々、記録媒体を着脱する着脱口を有する記録再生装置において、
前記筐体には、各着脱口を覆う可動式のパネルが設けられており、
前記パネルにおける前記着脱口側とは反対側の面には、前記パネルが各着脱口を覆っている状態において第１記録再生部の着脱口と対向する位置に第１記録再生部の作動状態を報知する第１表示部が形成され、前記パネルが各着脱口を覆っている状態において第２記録再生部の着脱口と対向する位置に第２記録再生部の作動状態を報知する第２表示部が形成され、前記第１表示部と第２表示部との間に記録再生装置の作動状態を報知する第３表示部が形成されていることを特徴とする記録再生装置。
【請求項１４】
前記第１および第２表示部は、円形、楕円形又はリングの形状であることを特徴とする請求項１３に記載の記録再生装置。
【請求項１５】
前記第１および第２表示部は、前記作動状態を、色別表示又はキャラクター表示を含む識別表示により報知することを特徴とする請求項１３または１４に記載の記録再生装置。
【請求項１６】
前記第３表示部は、第１記録再生部と第２記録再生部とが共同で行う処理の状態を報知することを特徴とする請求項１３から１５のいずれか１項に記載の記録再生装置。
【請求項１７】
前記第３表示部は、キャラクター表示または色表示によって、前記作動状態を報知することを特徴とする請求項１３から１６のいずれか１項に記載の記録再生装置。
【請求項１８】
前記複数の記録再生部には、第１および第２記録再生部とは異なる第３記録再生部が含まれており、
前記第３表示部は、前記第３記録再生部の作動状態を報知することを特徴とする請求項１３から１７のいずれか１項に記載の記録再生装置。
【請求項１９】
前記第３記録再生部は、ハードディスク装置であることを特徴とする請求項１８に記載の記録再生装置。
【請求項２０】
前記パネルにおける第１および第２表示部が形成されている面に、前記記録再生装置を操作する操作部を設けないことを特徴とする請求項１３に記載の記録再生装置。
【請求項２１】
前記パネルにおける前記着脱口側の面と、前記パネルに覆われる前記筐体の一面との少なくともいずれか一方に、前記記録再生装置を操作する操作部が設けられていることを特徴とする請求項１３または２０に記載の記録再生装置。
【請求項２２】
前記第２記録再生部は、ブルーレイディスクを用いて情報の記録および／または再生を行う光ピックアップ装置であり、
前記第２記録再生部は、前記第１記録再生部よりも、前記ハードディスク装置から離れた位置に配置されていることを特徴とする請求項１９に記載の記録再生装置。
【請求項２３】
請求項１に記載の記録再生装置であって、
当該記録再生装置とは別体であって当該記録再生装置から再生される映像を表示する外部表示装置に前記記録再生装置の作動状態を示す状態情報を表示する制御を行う外部表示制御部を有することを特徴とする記録再生装置。
【請求項２４】
上記状態情報には、上記第１装置の作動状態を示す情報と、上記第２装置の作動状態を示す情報とが含まれていることを特徴とする請求項２３に記載の記録再生装置。
【請求項２５】
上記外部表示制御部は、上記第１装置の作動状態を示す情報を、上記第１表示部と上記外部表示装置とに交番で表示し、上記第２装置の作動状態を示す情報を、上記第２表示部と上記外部表示装置とに交番で表示する制御を行うことを特徴とする請求項２４に記載の記録再生装置。
【請求項２６】
上記外部表示制御部は、上記外部表示装置に、上記状態情報をＯＳＤ表示する制御を行うことを特徴とする請求項２４または２５に記載の記録再生装置。
【請求項２７】
上記外部表示制御部は、上記外部表示装置に、上記第１装置の作動状態を示す情報と、上記第２装置の作動状態を示す情報とを互いに異なる色によって表示する制御を行うことを特徴とする請求項２６に記載の記録再生装置。
【請求項２８】
上記状態情報には、上記第１装置または第２装置がアクセスしている記録媒体の種類を特定する情報が含まれていることを特徴とする請求項２３から２７のいずれか１項に記載の記録再生装置。
【請求項２９】
上記第１表示部，第２表示部，外部表示装置における表示処理に関する各種設定を変更する手段を含む請求項２３から２８のいずれか１項に記載の記録再生装置。
【請求項３０】
装置本体と、
装置本体内部に配され、第１記録媒体へのデータの記録および／または第１記録媒体からのデータの読み取りを実行する第１記録再生部と、
装置本体内部に配され、第２記録媒体へのデータの記録および／または第２記録媒体からのデータの読み取りを実行する第２記録再生部と、
装置本体の外面に形成され、上記第１記録再生部の動作状態を示した動作情報を表示する第１表示部と、
装置本体の外面に形成され、上記第２記録再生部の動作状態を示した動作情報を表示する第２表示部とを備えた記録再生装置であって、
上記第１表示部と第２表示部とを結ぶ線分と、第１記録再生部と第２記録再生部とを結ぶ線分とを対辺とし、上記第１表示部と第１記録再生部とを結ぶ線分と、第２表示部と第２記録再生部とを結ぶ線分とを対辺とする四角形が成立するように、第１表示部、第２表示部、第１記録再生部、第２記録再生部の各々を配置し、
装置本体の外面において、上記第１表示部と第２表示部との間に上記記録再生装置の作動状態を報知する第３表示部が配され、
上記第１および第２記録媒体はリムーバブルな記録媒体であり、
上記装置本体には、第１記録再生部に第１記録媒体を挿入するための第１挿入口と、第２記録再生部に第２記録媒体を挿入するための第２挿入口とが備えられており、
上記第１表示部と第２表示部とを結ぶ線分と、第１挿入口と第２挿入口とを結ぶ線分とを対辺とし、上記第１表示部と第１挿入口とを結ぶ線分と、第２表示部と第２挿入口とを結ぶ線分とを対辺とする四角形が成立するように、第１表示部、第２表示部、第１挿入口、第２挿入口の各々が配置され、
閉状態においては、上記第１および第２挿入口を覆い、開状態においては、上記第１および第２挿入口を外部に露出する開閉パネルを備え、
上記第１表示部，第２表示部は、上記開閉パネルにおける、上記閉状態に上記第１および第２挿入口と対向する面とは反対側の面に形成されていることを特徴とする記録再生装置。
【請求項３１】
第３記録媒体へのデータの記録および／または第３記録媒体からのデータの読み取りを実行する第３記録再生部が備えられており、
上記第３表示部は、上記第３記録再生部の動作状態を示した動作情報を表示することを特徴とする請求項３０に記載の記録再生装置。
【請求項３２】
上記開状態においては、上記第１および第２挿入口と共に外部に露出し、上記閉状態においては、上記第１および第２挿入口と共に開閉パネルに覆われる第４表示部、第５表示部が備えられており、
上記第４表示部は、第１表示部と同一内容の動作情報を表示し、上記第５表示部は、第２表示部と同一内容の動作情報を表示することを特徴とする請求項３０に記載の記録再生装置。
【請求項３３】
上記第４表示部と上記第５表示部とを結ぶ線分と、上記第１表示部と上記第２表示部とを結ぶ線分とを対辺とし、上記第４表示部と上記第１表示部とを結ぶ線分と、上記第２表示部と上記第５表示部とを結ぶ線分とを対辺とした四角形が成立するように、上記第１表示部、第２表示部、第４表示部，第５表示部の各々を配置したことを特徴とする請求項３２に記載の記録再生装置。
【請求項３４】
上記第１表示部、第２表示部、第４表示部，第５表示部の各々は、利用者からの指示の入力を受け付け可能な構成であり、各々が表示する動作情報に対応する記録再生部への指示の入力を受け付け可能であることを特徴とする請求項３２または３３に記載の記録再生装置。
【発明の詳細な説明】
【技術分野】
【０００１】
本発明は記録再生装置に関し、特に、筐体内に複数のディスクドライブ装置を備える記録再生装置の表示制御技術に関する。
【背景技術】
【０００２】
最近の記録再生装置は、マルチメディア時代の要望に応えるために、大容量データの記憶媒体としてのＤＶＤ（Digital Versatile Disk）を用いたＤＶＤ装置と大記憶容量かつ安価なハードディスク装置（ＨＤＤ）とを備えているのが一般的である。
【０００３】
ＤＶＤ装置は、波長６５０ｎｍ帯の赤色半導体レーザーを光ディスクのピックアップとして用いている。一般的なＤＶＤの記憶容量は４.７ギガバイト（ＧＢ）である。
【０００４】
一方、近時、ＤＶＤに比べてより大容量のデータを記憶することができる次世代光ディスクとして、波長４００ｎｍ帯の青色光源を用いたブルーレイディスク（Blu-ray Disc：登録商標  以下「ＢＤ」とも称す）、及びＨＤ  ＤＶＤ（High Definition ＤＶＤ）が発表されている。
【０００５】
例えば、ＢＤの場合は片面単層の記録容量は２３．３ＧＢ，２５ＧＢ，２７ＧＢの３種類が規格化されており、ＨＤ  ＤＶＤの場合は片面単層の記録容量１５ＧＢのものが発表されており、２０ＧＢの仕様も検討されている。両者はいずれも１５ＧＢ以上の記録容量を有し、例えばＢＤは、２時間のハイビジョン放送の全編を１枚のディスクに録画が可能であるため、これからのハイビション放送に対応可能な優れた性能を有している（例えば、下記の特許文献３参照）。
【０００６】
また、既存のコンパクトディスク（ＣＤ）、ＤＶＤに加えて、ＢＤやＨＤ  ＤＶＤにも対応するために、長波長（ＣＤ用）と中波長（ＤＶＤ用）に加えて短波長（ＢＤやＨＤ  ＤＶＤ）の３波長のレーザー光源を備える光ディスク装置が提案されている（例えば、下記の特許文献２参照）。この装置では、上記３種類の波長に対応するピックアップを設け、ドライブを１つにして省スペース化を図っている。
【特許文献１】日本国公開特許公報「特開２００３−２８８７７１号（公開日：２００３年１０月１０日）」
【特許文献２】日本国公開特許公報「特開２００４-１０３１３５号（公開日：２００４年４月２日）」
【特許文献３】日本国公開特許公報「特開２００４−１９２８０１号（公開日：２００４年７月８日）」
【発明の開示】
【発明が解決しようとする課題】
【０００７】
しかし、上記特許文献２に記載の光ディスク装置では、省スペース化が可能なものの、ディスクの挿入口が１つのみでありディスクも１枚のみが駆動可能なため、ダビングなどのディスク出し入れ操作やそれに伴う内部処理が複雑になりユーザの使い勝手は必ずしも良好ではない。また、特許文献１のように、ＢＤを設けた装置以外にも２以上のディスク装置を備えた記録再生装置も存在するが、記録再生装置の動作状態に関する記載まではなく、また、特許文献２に記載の装置ではそれぞれのディスクドライブ近辺の表示領域に分割されて主として文字情報に基づいて表示されていることや、例えば記録再生装置内部に３種類以上の記録又は再生部を設けた機器においては、それぞれの記録又は再生部間での双方向の現在の作動状態を一目で確認することは、ユーザにとって極めて困難であった。
【０００８】
また、特にＤＶＤやＢＤにおいては、例えばユーザが使用機器の電源を入れて記録をスタートさせた場合でも、ディスク記録媒体に実際に信号の書き込みが開始されるまでに約１５〜２０秒間程度を要し、一旦ディスク記録媒体を取り出してしまうと再度記録の準備を完了するのに倍の時間がかかり、ユーザにとって操作性の改善が望まれていた。このため、一つの記録再生装置に複数の記録又は再生部を有した機器においては、各記録又は再生部の現在の作動状態を一目で認識できるとともに、記録又は再生部の操作性の向上を図る表示手段を搭載した記録再生装置が望まれていた。
【０００９】
以下では、上記特許文献１についてより具体的に説明する。上記特許文献１には、ディスクの再生及び記録用のツインデッキタイプのオーディオ装置であって、再生専用デッキと記録専用デッキとを有した２トレイ方式の装置が開示されている。さらに、この装置においては、再生状態等を視認可能にする表示部が一つ備えられている。
【００１０】
この特許文献１の構成において、再生専用デッキの動作状態を示した再生動作情報と記録専用デッキの動作状態を示した記録動作情報との双方は、上記表示部によって利用者に表示されることとなる。
【００１１】
しかし、単一の表示部において、再生専用デッキの動作状態を示した再生動作情報と記録専用デッキの動作状態を示した記録動作情報との双方を表示する場合、利用者からすれば、表示部に表示されている各情報が再生動作情報なのか記録動作情報なのかを一目で確認することが困難であり、利用者にとって不便であった。
【００１２】
本発明の目的は、複数のデッキを搭載した記録再生装置において、従来よりも便利性の高い記録再生装置を提供することである。
【課題を解決するための手段】
【００１３】
本発明の記録再生装置は、着脱可能な第１記録媒体へのデータの記録及び／又は再生を行う第１装置と、着脱可能な第２記録媒体へのデータの記録及び／又は再生を行う第２装置と、前記第１装置の作動状態を報知する第１表示部と、前記第２装置の作動状態を報知する第２表示部と、を備え、前記第１装置と前記第２装置との相対的位置関係と、前記第１表示部と前記第２表示部との相対的位置関係と、が同じであることを特徴とする。
【００１４】
また、本発明の記録再生装置は、第１着脱口から着脱可能な第１記録媒体へのデータの記録及び／又は再生を行う第１装置と、第２着脱口から着脱可能な第２記録媒体へのデータの記録及び／又は再生を行う第２装置と、前記第１装置の作動状態を報知する第１表示部と、前記第２装置の作動状態を報知する第２表示部と、を備え、前記第１装置と前記第２装置との相対的位置関係と、前記第１表示部と前記第２表示部との相対的位置関係と、が同じであり、かつ、前記第１着脱口と前記第２着脱口と、前記第１表示部と前記第２表示部との相対的位置関係と、が同じであることを特徴とする。
【００１５】
上記構成によれば、第１装置，第２装置の作動状態に関する情報を視覚的に認識しやすいように表示するためにユーザは一見して第１装置，第２装置の作動状態を認識することができる。
【００１６】
さらに、本発明の記録再生装置は、１つの筐体内に、記録媒体に基づく情報の記録および／または再生を行う記録再生部を複数備え、複数の記録再生部のうちの少なくとも第１記録再生部と第２記録再生部とが、各々、記録媒体を着脱する着脱口を有する記録再生装置において、前記筐体における外面のうちの一面に、第１記録再生部の着脱口と相対する位置に、第１記録再生部の作動状態を報知する第１表示部が形成され、第２記録再生部の着脱口と相対する位置に、第２記録再生部の作動状態を報知する第２表示部が形成されていることを特徴とする。
【００１７】
また、本発明の記録再生装置は、１つの筐体内に、記録媒体に基づく情報の記録および／または再生を行う記録再生部を複数備え、複数の記録再生部のうちの少なくとも第１記録再生部と第２記録再生部とが、各々、記録媒体を着脱する着脱口を有する記録再生装置において、前記筐体には、各着脱口を覆う可動式のパネルが設けられており、前記パネルにおける前記着脱口側とは反対側の面において、第１記録再生部の着脱口と相対する位置に、第１記録再生部の作動状態を報知する第１表示部が形成され、第２記録再生部の着脱口と相対する位置に、第２記録再生部の作動状態を報知する第２表示部が形成されていることを特徴とする。
【００１８】
上記構成によれば、複数の記録再生部の作動状態に関する情報を視覚的に認識しやすいように表示するためにユーザは一見して複数の記録再生部の作動状態を認識することができる。
【００１９】
また、本発明の記録再生装置は、装置本体と、装置本体内部に配され、第１記録媒体へのデータの記録および／または第１記録媒体からのデータの読み取りを実行する第１記録再生部と、装置本体内部に配され、第２記録媒体へのデータの記録および／または第２記録媒体からのデータの読み取りを実行する第２記録再生部と、装置本体の外面に形成され、上記第１記録再生部の動作状態を示した動作情報を表示する第１表示部と、装置本体の外面に形成され、上記第２記録再生部の動作状態を示した動作情報を表示する第２表示部と、を備え、上記第１表示部と第２表示部とを結ぶ線分と、第１記録再生部と第２記録再生部とを結ぶ線分とを対辺とし、上記第１表示部と第１記録再生部とを結ぶ線分と、第２表示部と第２記録再生部とを結ぶ線分とを対辺とする四角形が成立するように、第１表示部、第２表示部、第１記録再生部、第２記録再生部の各々を配置したことを特徴とする。
【００２０】
上記構成によれば、装置本体の外面に形成されている第１および第２表示部の対面から、当該第１および第２表示部を利用者が見た場合、この利用者からすれば、第１表示部および第２表示部の並び順と、第１記録再生部と第２記録再生部との並び順とが一致することになる。それゆえ、利用者からすれば、第１表示部および第２表示部の並び順によって、各々の表示部に表示されている動作情報がどの記録再生部の動作情報なのかを容易に特定でき、このような記録再生装置は利用者にとって便利である。
【００２１】
本発明のさらに他の目的、特徴、および優れた点は、以下に示す記載によって充分判るであろう。また、本発明の利益は、添付図面を参照した次の説明で明白になるであろう。
【発明を実施するための最良の形態】
【００２２】
本明細書において、光学ディスクは、例えば、再生専用のＣＤ−ＲＯＭ、ＤＶＤ−ＲＯＭ、再生・記録が可能なＣＤ−Ｒ（Ｗ）、ＤＶＤ―Ｒ（ＲＷ）など、及びＢＤ（ブルーレイディスク）やＨＤ  ＤＶＤ（エイチディ・ディーブイディ）を含む。光学ディスク装置は、これらのメディアを駆動することができる駆動装置を指す。
【００２３】
なお、以下では、単に「ＤＶＤ」と称する場合、ＤＶＤ−ＲＯＭ，ＤＶＤ―Ｒ（ＲＷ），ＤＶＤ−ＲＡＭ，ＤＶＤ＋Ｒ（ＲＷ），ＨＤ  ＤＶＤのいずれかの規格に基づく光学ディスクを意味し、単に「ＢＤ」と称する場合、ブルーレイ規格に基づく光学ディスクを意味するものとする。
【００２４】
本実施の形態による記録再生装置について図面を参照しつつ説明を行う。図１は、本実施の形態による記録再生装置の外観構成例を示す斜視図であり、可動式パネルを閉じた状態を示す図である。図２は、図１の斜視図に対応する図であり、可動式パネルを開いた状態を示す図である。図３（ａ）〜（ｃ）は、それぞれ、図１に対応する正面図、図２に対応する正面図、図２に対応する上面図（一部を表す）である。図４は、本実施の形態による記録再生装置の内部に配置されているディスク装置の配置例を示す図である。図５は、本実施の形態による記録再生装置の内部構成例を示す機能ブロック図である。図６は、本実施の形態による記録再生装置の制御処理等を行うプログラムの構成例を示す図である。図７は、記録再生装置を遠隔操作することができるリモートコントロール装置（以下、「リモコン装置」）の構成例を示す図である。図８および図９は、表示制御の処理の流れを示すフローチャートである。図１０から図１６は、種々の動作状況に応じた可動式パネルの表示部における表示例を示す図である。
【００２５】
図１から図４に示すように、本実施の形態による記録再生装置Ａは、第１の光学ディスク装置（光学ドライブ装置）であるＤＶＤ装置３１と、このＤＶＤ装置３１とは記憶容量などの規格が異なる第２の光学ディスク装置（光学ドライブ装置）である例えばＢＤ装置３５とが隣接して配置され、記録媒体の着脱口が二つのいわゆる２トレイ方式の記録再生装置である。
【００２６】
なお、ＤＶＤ装置３１とは、ＤＶＤに記録されているデータを読み取って再生し、また、ＤＶＤに対してデータを書き込むためのディスク駆動装置（ディスクドライブ）である。ＢＤ装置３５とは、ＢＤに記録されているデータを読み取って再生し、また、ＢＤに対してデータを書き込むためのディスク駆動装置（ディスクドライブ）である。
【００２７】
記録再生装置Ａは、薄型テレビなどとともに使用する際の統一感を出すために、横置き、縦置きのいずれの場合でもスリムさを強調する外観を有している。この外観は、後述するように（図１，図４参照）、記録再生装置Ａを横置きにした場合に、ＤＶＤ装置３１とＢＤ装置３５とが左右に（水平方向に沿って）配置されるようにすることで、筐体１の縦方向の厚さが極力薄くなるようにしている。液晶テレビのような平面ディスプレイ型テレビをオープンラック上に載せて使用することを想定して、このオープンラック内に記録再生装置Ａを横置きする際の薄さが強調される。
【００２８】
図１に示すように、ＤＶＤ装置３１およびＢＤ装置３５等のディスク駆動装置を収容する筐体１は、ハロゲン材の入っていない難燃性プラスチックであるＡＢＳポリカーボネート樹脂を射出成形して形成されており、上面に薄い上板１ａを配置し、この上板１ａを他の筐体外表面よりも深みのある仕上げとすることによって、筐体１の機械的強度を維持しつつ高級感とスリム感を演出している。
【００２９】
図４に示すように、本実施の形態による記録再生装置Ａにおいては、筐体１を一般的な横置きに配置した場合に、正面からみて左側にＤＶＤ装置３１，右側にＢＤ装置３５が配置され、ＤＶＤ装置３１の下方にＨＤＤ装置（ハードディスク装置）３３が配置される。このように、ある程度の厚みを有するＤＶＤ装置３１とＢＤ装置３５とを左右に配置し（水平方向に沿って並列に配置し）、ＤＶＤ装置３１およびＢＤ装置３５と比較して小型・薄型化が可能なＨＤＤ装置３３をＤＶＤ装置３１の下方に配置することにより、筐体１の薄型化を実現できる。
【００３０】
さらに、ＢＤは、ＤＶＤよりもより微細な加工を行っており、ピックアップとディスクとの間の高い位置精度が要求されるため（すなわち、耐振動性が要求される）、振動発生源となりうるＨＤＤ装置３３の横方向にＢＤ装置３５を配置し、ＤＶＤ装置３１の下方にＨＤＤ装置３３を配置することにより、ＨＤＤ装置３３に起因する振動の影響を極力小さくすることができる。
【００３１】
この点について、より具体的に説明すると、従来のＤＶＤ装置よりも耐振動性が必要とされるＢＤ装置３５は、ＤＶＤ装置３１よりも、振動源となりうるＨＤＤ装置３３から離れた位置に配置されている。これにより、ＨＤＤ装置３３に起因する振動の影響がＢＤ装置３５に及ぶことを極力抑制している。
【００３２】
また、ＤＶＤ装置３１・ＨＤＤ装置３３・ＢＤ装置３５は、全て記憶・再生が可能であるが、例えば、ＤＶＤ装置３１は再生専用であってもよい。なお、一般的に、ＨＤＤ装置３３は、記憶容量が６００ＧＢ（ギガバイト）程度のものも実用化されており、３つの装置３１・３３・３５の中では最も記憶容量が大きく、次いで、ＢＤ装置３５、ＤＶＤ装置３１の順に記憶容量が少なくなる。したがって、ＨＤＤ装置３３を基本的な記憶装置としてデータサーバ的に利用し、使用状況又は求められる画質、コンテンツの占有記憶容量等を勘案して、適宜コンテンツをＨＤＤ装置３３からＢＤ装置３５又はＤＶＤ装置３１を介して可搬型のＤＶＤ又はＢＤに振り分けて半永久的に記憶メディアに記憶させることができる。これらの記憶メディアに記憶されたコンテンツは、他の再生装置でコンテンツを再生させたり、オリジナルのコンテンツを作成して配布したりすることができる。なお、ＨＤＤ装置３３は、着脱口を有しない記録再生装置である。
【００３３】
なお、以下では、ＤＶＤ装置３１・ＨＤＤ装置３３・ＢＤ装置３５を指す場合、単に「ディスク装置」と称することがある。
【００３４】
図１および図３（ａ）に示すように、本実施の形態による記録再生装置Ａは、上板１ａが配置された筐体（装置本体）１と、横置き時における正面に設けられた開閉式の正面パネル（可動式パネル，開閉パネル）２５ａとを有している。正面パネル２５ａの左右には、電源オン／オフ用スイッチ１ｂと、図７に示すリモートコントロール装置（以下、「リモコン装置」と称する。）からの赤外線による指令を受けるＲＣ受光部１７と、正面パネル２５ａを開くためのパネル開スイッチ２５ｂと、正面パネル２５ａをロックする正面パネルロック機構２５と、が備えられている。但し、正面パネル２５ａの表面には、記録再生装置Ａを操作する操作部を設けないようにしている。これにより、正面パネル２５ａの表面をユーザが不意に触るようなことがあっても、誤動作が生じないようにしている。
【００３５】
正面パネルロック機構２５の詳細な説明は省略するが、通常は正面パネル２５ａをロックしており、リモコン装置ＲＣのパネル開スイッチ（図７（ｂ）のトレイ開閉スイッチ７５・７７がこの機能を兼ねている）、または、パネル開スイッチ２５ｂをオンすることにより正面パネル２５ａを開方向に押す。
【００３６】
正面パネル２５ａが一旦押されると、正面パネル２５ａの自重により筐体１の正面と正面パネル２５ａとの成す内角の角度が９０度程度になるまで開方向に回転移動し、図２に示すように筐体の正面と正面パネル２５ａとの成す角度が９０度程度になった時点で回動が停止する。なお、正面パネル２５ａのロック機構をリモコン装置により解除することにより、正面パネル２５ａをリモコン装置からの操作により開けることができる。
【００３７】
図１に示すように、正面パネル２５ａには、表示ユニット（表示部）４０が設けられている。この表示ユニット４０は、筐体１を横置きにした場合に横方向にある間隔をあけて配置された略円形の第１表示部４１と、第３表示部４３と、第２表示部４７と、を含む。具体的に、第１表示部４１，第３表示部４３，第２表示部４７は、筐体１を横置きにした場合において水平方向に並列されており、互いに隣り合う表示部同士は所定間隔をもって隔てられている。
【００３８】
また、ＤＶＤ装置３１からＢＤ装置３５へ向けた方向を基準方向とした場合、第１表示部４１，第３表示部４３，第２表示部４７は、基準方向に向けて、この記載順序で並んで配置されている。
【００３９】
また、図１および図２に示すように、記録再生装置Ａは、着脱可能なＤＶＤ（第１記録媒体）へのデータの記録及び／又は再生を行うＤＶＤ装置（第１記録再生部，第１装置）３１と、着脱可能なＢＤ（第２記録媒体）へのデータの記録及び／又は再生を行うＢＤ装置（第２記録再生部，第２の装置）３５と、ＤＶＤ装置３１の作動状態を報知する第１表示部４１と、ＢＤ装置３５の作動状態を報知する第２表示部４７と、を備えている。ここで、記録再生装置Ａにおいては、ＤＶＤ装置３１とＢＤ装置３５との相対的位置関係と、第１表示部４１と第２表示部４７との相対的位置関係と、を同じにしている。
【００４０】
さらに、図４および図５に示すように、記録再生装置Ａには、第３記録媒体としてのハードディスクへのデータの記録及び／又は再生を行うＨＤＤ装置（第３装置，第３記録再生部）３３が設けられている。また、図１に示すように、記録再生装置Ａの正面パネル２５ａには、記録再生装置Ａ全体の作動状態を報知する第３表示部４３が設けられており、第３表示部４３は、ＨＤＤ装置３３の作動状態を報知する機能を兼ねる。この第３表示部４３は、第１表示部４１と第２表示部４７との間に配置されている。あるいは、第３表示部４３は、正面パネル２５ａを閉じた状態において、ユーザにより認識可能な位置に設けられている。また、後述するように、第３表示部４３は、記録再生装置Ａが外部から取得した、放送信号の番組選局情報、外部入力種別情報、外部機器情報、外部機器との通信種別情報の少なくとも１つを含む情報を報知することもできる。
【００４１】
図２および図３（ｂ）に示すように、正面パネル２５ａを開いた場合には、筐体１の正面側であって正面パネル２５ａが閉じていた場合の正面パネル２５ａと対向する面に、記録再生装置Ａに内蔵されているＤＶＤ装置３１のトレイ正面部（第１着脱口）３１ａと、ＢＤ装置３５のトレイ正面部（第２着脱口）３５ａとが現れる。
【００４２】
トレイ正面部３１ａは、ＤＶＤ装置３１へＤＶＤを挿入（着脱）するための挿入口（着脱口）であって、トレイ正面部３５ａは、ＢＤ装置３５へＢＤを挿入（着脱）するための挿入口（着脱口）である。
【００４３】
また、トレイ正面部３１ａ・３５ａが形成されている面には、ＤＶＤ装置３１，ＢＤ装置３５のディスク搭載用のトレイを出し入れするための開閉スイッチ３１ｂ、３５ｂが設けられている。この開閉スイッチ３１ｂ、３５ｂを押すことにより、ディスク装置３１、３５のそれぞれに対応する図示しないＤＶＤのディスク又はＢＤのディスクを載せるためのトレイが進退するようになっている。この点を具体的に説明すると、図３（ｂ）に示すように、トレイ正面部３１ａの近傍に、ＤＶＤ装置３１のディスク搭載用のトレイを出し入れするための開閉スイッチ３１ｂが設けられ、トレイ正面部３５ａの近傍に、ＢＤ装置３５のディスク搭載用のトレイを出し入れするための開閉スイッチ３５ｂが設けられている。そして、開閉スイッチ３１ｂを押すと、ＤＶＤ装置３１におけるＤＶＤ搭載用トレイ（不図示）が進退し、開閉スイッチ３５ｂを押すと、ＢＤ装置３５におけるＢＤ搭載用トレイ（不図示）が進退するようになっている。
【００４４】
図２および図３（ｂ）に示すように、ＤＶＤ装置３１とＢＤ装置３５とが並んで配置されている領域の下方には、例えば、ＩＥＥＥ１３９４端子（ＤＶ端子）１５と、Ｂ-ＣＡＳカード用のスロット２１ａと、が設けられている。Ｂ-ＣＡＳカードは地上デジタルテレビジョン放送、ＢＳデジタル放送、１１０度ＣＳデジタル放送等の各種放送サービスを受信するために必要なカードであり、デジタル放送の番組等の著作権保護にも利用される。例えば、デジタル放送の無料放送、有料放送、ペイ・パー・ビュー放送、ＮＨＫ（日本放送協会）、自動表示メッセージ、およびデータ放送の双方向サービス等の放送サービスを利用するためには、Ｂ-ＣＡＳカード用のスロット２１ａにＢ-ＣＡＳカードを挿入する必要がある。なお、符号２１ｂはＢ-ＣＡＳカード用のスロットに挿入されたＢ-ＣＡＳカードを取り出すための押しボタンである。
【００４５】
また、正面パネル２５ａを開けた状態においてＢ-ＣＡＳカードをＢ-ＣＡＳカード用のスロット２１ａに挿入した場合に、正常にカードがロックされるまで該カードをスロットに挿入しないと、正面パネル２５ａを閉めた場合に正面パネル２５ａとＢ-ＣＡＳカードのエッジとが衝突することによってＢ-ＣＡＳカードが破損する恐れがある。
【００４６】
そこで、何らかの誤操作などによりＢ-ＣＡＳカードがロックされずにスロット２１ａから規定以上に飛び出しているにもかかわらず、正面パネル２５ａを閉めようとした場合であっても、Ｂ-ＣＡＳカードの破損を防止するために、以下の１）から４）までのいずれかの手段を採用してもよい。
１）正面パネル２５ａを閉めようとすると警告を出す（表示又は音声による警告などの報知）。
２）Ｂ-ＣＡＳカードがスロット２１ａから少しでも規定よりも出た状態で正面パネル２５ａを閉めようとしても閉まらないように正面パネル２５ａの回転動作が拘束されるようにする。
３）ランプなどが点滅することで、Ｂ-ＣＡＳカードがロックされていないことをユーザに知らせる。
４）Ｂ-ＣＡＳカードがスロット２１ａに挿入された状態であるが規定以上に飛び出していた場合には、正面パネル２５ａを押すと正面パネル２５ａの裏面によりＢ-ＣＡＳカードのエッジが押され、Ｂ-ＣＡＳカード用のスロット２１ａにＢ-ＣＡＳカードが正常に挿入されるようにする。
【００４７】
さらに、図３（ｂ）に示すように、ＩＥＥＥ１３９４端子（ＤＶ端子）１５と、Ｂ-ＣＡＳカード用のスロット２１ａとの間には、表示ユニット４０と同じような形態であってやや小型の内側表示ユニット４８（第４表示部４８ａ，第６表示部４８ｂ，第５表示部４８ｃがある間隔をおいて横方向に配置されている）が設けられている。
【００４８】
図３（ｂ）に示されるように、ＤＶＤ装置３１のトレイ正面部（記録媒体着脱部）３１ａと、ＢＤ装置３５のトレイ正面部（記録媒体着脱部）３５ａとを、正面パネル２５ａが開状態において露出する同一面に、第１表示部４１、第３表示部４３、第２表示部４７とはそれぞれ異なり、かつ、それぞれの表示部４１，４３，４７の表示動作と相対関係で装置の作動状態を表示する第４表示部４８ａ、第６表示部４８ｂ及び第５表示部４８ｃとが、ユーザにより認識可能な位置に設けられている。
【００４９】
具体的に、内側表示ユニット４８は、第４表示部４８ａ・第６表示部４８ｂ・第５表示部４８ｃから構成され、筐体１を横置きした場合において各表示部４８ａ・４８ｂ・４８ｃが水平方向（横方向）に沿って並んで配置され、互いに隣り合う表示部同士は所定間隔をもって隔てて配置されている。
【００５０】
また、図３（ｂ）に示されるように、第４表示部４８ａ・第６表示部４８ｂ・第５表示部４８ｃは、ＤＶＤ装置３１のトレイ正面部３１ａとＢＤ装置３５のトレイ正面部３５ａとの同一面上に設けられている。つまり、第４表示部４８ａ・第６表示部４８ｂ・第５表示部４８ｃは、正面パネル２５ａの開状態において、ユーザに認識可能となる。
【００５１】
また、図１・図２に示すように、ＤＶＤ装置３１の位置からＢＤ装置３５の位置に向けた方向に沿って、第４表示部４８ａ・第６表示部４８ｂ・第５表示部４８ｃの各々はこの記載順序で並列しており、第１表示部４１・第３表示部４３・第２表示部４７はこの記載順序で並列している。
【００５２】
つまり、ＤＶＤ装置３１の位置からＢＤ装置３５の位置に向けた方向を基準方向とすれば、正面パネル２５ａの閉状態においては（図１）、第１表示部４１・第３表示部４３・第２表示部４７が基準方向に沿ってこの記載順序で並んで筐体１外部に露出しており、正面パネル２５ａの開状態においては（図２）、第４表示部４８ａ・第６表示部４８ｂ・第５表示部４８ｃが基準方向に沿ってこの記載順序で並んで筐体１外部に露出している。
【００５３】
そして、記録再生装置Ａにおいては、第４表示部４８ａと第１表示部４１とが対応付けられ、第４表示部４８ａには第１表示部４１に表示される情報と同様の情報（ＤＶＤ装置３１の作動状態を示す情報）が表示される。また、第６表示部４８ｂは第３表示部４３とが対応付けられ、第６表示部４８ｂには第３表示部４３に表示される情報と同様の情報（記録再生装置Ａ全体の作動状態を示す情報）が表示され、第５表示部４８ｃと第２表示部４７とが対応付けられ、第５表示部４８ｃには第２表示部４７に表示される情報と同様の情報（ＢＤ装置３５の作動状態を示す情報）が表示されるように構成される。
【００５４】
これにより、記録再生装置Ａの利用者からすれば、正面パネル２５ａの開状態においては、第１表示部４１・第３表示部４３・第２表示部４７が隠れてしまうものの（図１・図２参照）、第４表示部４８ａ・第６表示部４８ｂ・第５表示部４８ｃによって、第１表示部４１・第３表示部４３・第２表示部４７に表示される情報と同様の情報を確認することができる。
【００５５】
また、以上の構成では、正面パネル２５ａの開状態・閉状態のいずれの状態であっても、ＤＶＤ装置３１の位置からＢＤ装置３５の位置に向けた方向に向けて、ＤＶＤ装置３１の作動状態を示す情報，記録再生装置Ａ全体の作動状態を示す情報，ＢＤ装置３５の作動状態を示す情報がこの記載順序で並んで表示されることとなる。それゆえ、利用者からすれば、正面パネル２５ａの開状態・閉状態のいずれの状態であっても、表示されている情報の並び順から、表示されている各情報がどの装置の作動状態を示すものであるのかを特定することが容易となる。
【００５６】
なお、第４表示部４８ａ・第６表示部４８ｂ・第５表示部４８ｃは、表示兼用の選択操作キーとなっており、図示する左側から順番にそれぞれＤＶＤ、ＨＤＤ、ＢＤの動作状態を報知する動作状態報知手段も兼ねている。
【００５７】
また、ＤＶ端子は、記録再生装置Ａの裏面側にも設けられており、一般的にはＤＶカメラからの映像をＨＤＤドライブなどに高速に取り込むことや、ハイビジョン放送用コンテンツのＴＳ信号入出力インターフェイスとして用いられるが、ユーザにとって使い勝手の良い方の端子を適宣選択して用いることができる。
【００５８】
さらに、図２および図３（ｃ）に示すように、正面パネルの裏面２５ｄ側に、図７（ａ）のリモコン装置ＲＣの方向キーと同様の機能を有する例えば複数のメニュー表示からあるメニューを選択するための方向キーと決定ボタンとを備えた操作部６１ａと、再生動作を開始・停止するためのそれぞれが半円形で合わせて円形となるスイッチであって、円形の外周部に発光領域を有している再生用スイッチ６１ｂと、この再生用スイッチ６１ｂに隣接して設けられ同様の形状を有しており、録画動作を開始・停止するためのそれぞれが半円形で合わせて円形となるスイッチであって、円形の外周部に発光領域を有している録画用スイッチ６１ｃと、が設けられている。なお、上記発光領域の発光色は、後述するように、動作状態に応じて決められている。また、方向キーと選択キーとによる操作部６１ａは、例えばメニュー画面におけるメニュー項目の移動と決定に用いられる。
【００５９】
また、上述のように、記録再生装置Ａにおいては、それぞれがディスク駆動部を有するＤＶＤ装置３１とＢＤ装置３５とを備えた２トレイ方式を採用し、かつ、内蔵のＨＤＤ装置３３も備えているため、ＤＶＤ又はＢＤのそれぞれに関連する起動時間に起因する遅延を極力短くすることができる。例えば、記録再生装置Ａは、ＤＶＤ装置３１又はＢＤ装置３５に新たにＤＶＤ又はＢＤが挿入された場合、それぞれのディスク装置３１・３５に載置されたディスクの情報を読みに行き、読み込まれた情報によりディスクの種類、規格、などを検出する。すなわち、記録再生装置Ａにおいては、ＤＶＤ装置３１またはＢＤ装置３５に挿入されたディスクが挿入先装置による再生又は記録などの操作が可能であるか否かを判定した後に初めて、次の処理（実際の再生又は記録処理）に移行することができる。ここで、記録再生装置Ａにおいては、２トレイ方式を用いることで、例えば２種類の規格の異なるディスクを規格の一致するディスク装置（ＤＶＤ装置３１，ＢＤ装置３５）に入れることで異なるディスクの情報読み込み時間を平行して情報読み込みを行わせることにより、短時間でディスク装置の起動処理を行うことができる。
【００６０】
すなわち、２トレイ方式では、ＤＶＤ装置３１にＤＶＤを挿入し、ＢＤ装置３５にＢＤを挿入して、ＤＶＤからの情報読み込み（ディスクの種類、規格等の読み込み）とＢＤからの情報読み込みとを併行して行わせることができ、短時間でディスク装置の起動処理を行うことができる。これに対し、ディスクドライブが単一の１トレイ方式では、挿入されるディスク毎に情報読み込みを行わなければならず、２種類のディスクからの情報読み込みを併行して行うということはできない。
【００６１】
つまり、２トレイ方式では、２ディスクの出し入れ時におけるディスクの情報読み込みに起因する遅延を２ディスクの情報読み込みを並行して行わせることにより低減することができるという利点がある。
【００６２】
また、記録再生装置Ａにおいては、ＤＶＤ装置３１およびＢＤ装置３５において、再生側と記録側のディスクを固定して一方のディスクに記録されたコンテンツを再生し、この再生されたコンテンツを他方のディスクにリアルタイムに記録していくいわゆるダビング処理がＨＤＤ装置３５を介さずに可能である。従って、ダビング処理中にＨＤＤ装置３５がフリーの状態となり、他の処理、例えば現在放送中の番組をＨＤＤ装置３５に記録することも可能である。
【００６３】
つぎに、本実施の形態による記録再生装置Ａの内部構成例について図５の全体機能ブロック図と図６及び図７を参照しつつ説明を行う。適宜、図１〜図４までを参照しつつ説明を行う。図５に示すように、本実施の形態による記録再生装置Ａは、全体の制御を行うＣＰＵ３と、後述する各機能を実行する機能ブロック群と、を有している。記録・再生機能を有するブロックとしては、上述のように、ＤＶＤ装置３１とＨＤＤ装置３３とＢＤ装置３５とが備えられている。
【００６４】
ディスク装置３１、３３、３５は、ディスク駆動制御部３７を介して又は直接に、ＣＰＵ３からの制御命令に基づいて動作する。実際には、図７に示すリモコン装置ＲＣの各操作ボタン、または、上述した記録再生装置Ａ本体側の操作スイッチ（操作部６１ａおよび各スイッチ６１ｂ・６１ｃ）を操作することにより、操作に応じた信号をＣＰＵ３に伝達する。なお、リモコン装置ＲＣの場合、記録再生装置Ａは、赤外線信号をＲＣ受光部１７において受信し、この信号をＣＰＵ３に伝達する。ＣＰＵ３は、受けた信号に基づいて上記操作に基づく動作を行うように、各機能ブロックに対して指令する指令信号を出力する。
【００６５】
例えば、リモコン装置ＲＣの放送選択部７０においてＣＳ放送選択ボタン７０ｄが押され対象機器選択部７１においてＢＤの選択ボタン７１ｃが押されると（図７参照）、ＢＤ装置３５に入っているＢＤにＣＳ放送番組のコンテンツを記録することができる。ＢＤはＤＶＤに比べて大容量のデータを記憶することが可能であるため、例えば２〜３時間以上のＣＳ放送を高画質で記録可能である。
【００６６】
記録の際には、例えばＣＳ又はＢＳデジタル放送の録画を行う際に、録画エンコーダ／デコーダを含む画像／音声信号処理部５が、例えばＣＳ放送番組からの映像信号／音声信号をＢＤに記録できる形式に変換したり、例えばＢＤ装置３５に記録された信号を表示モニターに表示可能な形式に変換したりする。この際、画像／音声信号処理部５は、ＢＤ装置３５の動作状況をＣＰＵ３に送る。これにより、ＣＰＵ３は、各ディスク装置の動作状況を適宜監視して適切な指示を与えることができる。
【００６７】
さらに、本実施の形態による記録再生装置Ａは、ＣＰＵ３によって各種動作が制御されており、ＣＰＵ３に後述する種々の処理を実行させるためのプログラムを格納するＲＯＭ７と、プログラムデータを展開して高速に処理するためのＲＡＭ１１と、アンテナからの放送信号を入力したり、ディスク装置（ＤＶＤ装置３１，ＢＤ装置３５等）を駆動させた際に得られるコンテンツの信号やＤ映像などを例えば液晶ＴＶなどの表示モニターに出力したり、ＤＶカメラに接続するＩＥＥＥ１３９４端子（ＤＶ端子）１５やインターネットなどに接続するＬＡＮ端子などを備え各種信号の入出力を制御するインターフェイス部１５０と、を備えている。
【００６８】
さらに、記録再生装置Ａは、前述のＲＣ受光部１７と、Ｂ−ＣＡＳカードのスロット２１ａを駆動するＢ−ＣＡＳカードスロット駆動部２１と、放熱効果を高めるための冷却ファン２３と、正面パネル２５ａの開閉動作を制御すると共に検出部（不図示）によって正面パネルの開閉の状態を検出する正面パネル駆動部２５ｃと、各種入力操作を受け付ける入力部６１と、を有している。
【００６９】
加えて、記録再生装置Ａは、前述のディスク駆動制御部３７と、前述の正面パネル２５ａに設けられている表示部であって筐体１を横置きにした場合に横方向にある間隔をあけて配置され光学ディスクとハードディスクとを象徴する略円形又は楕円形又はリング状の形状を有する第１表示部４１，第３表示部４３，第２表示部４７と、を有しており、ＣＰＵ３により表示制御部５１を介して表示の制御が行われる。
【００７０】
また、選択スイッチを兼ねる内側ＬＥＤ表示部としての第４表示部４８ａ，第６表示部４８ｂ，第５表示部４８ｃも、表示制御部５１を介してＣＰＵ３により表示制御がなされる。さらに、ＤＶＤ装置（ドライブ）３１，ＢＤ装置（ドライブ）３５には、ディスクの有無や駆動状態等を検出する検出部３１ｃ、３５ｃがそれぞれ設けられており、各装置３１・３５内におけるメディアの有無や駆動状態等に関する信号が、各装置に対応する検出部３１ｃ、３５ｃからディスク駆動制御部３７を介してＣＰＵ３に送られるように構成されている。なお、図５には、後述する本実施の形態の第４変形例で説明するように重力センサーなどを含み記録再生装置の位置（横置き状態か縦置き状態か）を検出する位置検出センサー（位置検出部）２７が記載されている。
【００７１】
図６は、ＲＯＭ７内に格納されるプログラム群の構成例である。該プログラム群は、各種ディスク（ＤＶＤ，ＢＤ，ＨＤ）の駆動制御を行うディスク駆動制御プログラムＰ１と、表示部の表示制御を行う表示制御プログラムＰ２と、インターフェイス部１５におけるインターフェイスの切り替え制御や信号の変換等を行うインターフェイス制御プログラムＰ３と、正面パネル２５ａ／ファン２３等の機械的動作の制御を行うパネル／ファン等制御プログラムＰ４と、画像信号／音声信号の信号処理（変換を含む）を行う画像／音声信号処理プログラムＰ５と、を含んで構成される。なお、ここで列挙した各プログラムは例示であり、実際には各プログラムが連動して一連の制御を行うものである。
【００７２】
つぎに、上記各機能の働きについて説明する。まず、表示部及び表示制御部の構成の詳細とそれに基づく表示制御について詳細に説明を行う。
【００７３】
前述のように、正面パネル２５ａに設けられている表示ユニット４０は、図３（ａ）に示すように、記録再生装置Ａの筐体１を横置きにした場合に横方向にある間隔をあけてそれぞれが近接して配置された略円形の第１表示部４１と、第３表示部４３と、第２表示部４７と、を含んでいる。
【００７４】
第１表示部４１，第３表示部４３，第２表示部４７は、記録再生装置Ａの厚さに対して約半分程度の直径を有する比較的大きく見やすい表示部となっており、３連の円形表示部の表示（点灯の有無と点灯色）を確認さえすれば、ＨＤＤ装置３３，ＤＶＤ装置３１，ＢＤ装置３５および記録再生装置Ａ本体の現在の動作状況を認識でき、各ディスク装置３１・３３・３５間の現在のデータの移動方向に関する比較的複雑な作動状況を簡単に認識することができるという利点を有する。
【００７５】
また、第１表示部４１には、該第１表示部４１の背面側において、例えば、Ｒ（赤色）又はＢ（青色）又はＷ（白色）の発光が可能なように３種類のＬＥＤ（不図示）が設けられている。また、第１表示部４１の正面側には、上記ＬＥＤからの光を遮断するとともに後述するようにＤＶＤのロゴマーク等が表示された半透明の板または遮光板４１ａと、その外周にリング状に設けられていると共に上記ＬＥＤからの発光を正面側に透過する光透過部４１ｂと、が設けられている（図３（ａ），図１１〜図１４等参照）。なお、この光透過部４１ｂは、例えば透明なプラスチック板により形成されている。
【００７６】
この第１表示部４１は、ＤＶＤ装置３１に対応する表示部であることを上記ロゴマークによってユーザに示し、光透過部４１ｂからの発光色によってＤＶＤ装置３１の作動状態をユーザに報知するものである。
【００７７】
なお、第１表示部４１，第３表示部４３，第２表示部４７においては、記録再生装置Ａ全体、または、ＨＤＤ装置３３，ＤＶＤ装置３１，ＢＤ装置３５毎の作動状態がユーザに報知される。報知の方法としては、色別表示の他にキャラクター表示を含む識別表示により報知することも可能である。特に、第３表示部４３は、ＬＥＤとＬＣＤとを備えており、より複雑な動作に関する情報を報知することができる。
【００７８】
第１表示部４１と同様、第２表示部４７には、該第２表示部４７の背面側において、Ｒ（赤色）又はＢ（青色）又はＷ（白色）の発光が可能なように３種類のＬＥＤが設けられている。第２表示部４７の正面側には、図示しないＬＥＤからの光を遮断するとともに後述するようにＢＤのロゴマークが表示された遮光板４７ａと、その外周にリング状に設けられていると共に上記ＬＥＤからの発光を正面側に透過する光透過部４７ｂと、が備えられている（図３（ａ），図１１〜図１４等参照）。なお、光透過部４７ｂは、例えば透明なプラスチック板により形成されている。
【００７９】
この第２表示部４７は、ＢＤ装置３５に対応する表示部であることを上記ロゴマークによってユーザに示し、光透過部４７ｂからの発光色によってＢＤ装置３５の作動状態をユーザに報知するものである。
【００８０】
図３（ａ）に示すように、第１表示部４１と第２表示部４７との間には、それぞれの表示部からある距離だけ離れた位置に第３表示部４３が形成されている。第３表示部４３は、反射板（不図示）と、光源としてのＬＥＤ４３ａと、ＬＥＤ４３ａと対向する位置に設けられている円形の液晶パネル４３ｂとが、裏面から正面側に向けて順に設けられている（図３（ａ）参照）。なお、ＬＥＤ４３ａは、エッジライトと導光板とにより得られる面発光源であることが好ましい。
【００８１】
この第３表示部４３は、ＨＤＤ装置３３のディスクをイメージしたものであり、ＬＥＤ４３ａが点灯することにより液晶パネル４３ｂに文字が浮かび上がるように構成されている。
【００８２】
つまり、第３表示部４３にはＬＣＤが含まれ、第３表示部４３においては、ＬＣＤによって文字表示が可能となっている。
【００８３】
これら第１表示部４１，第３表示部４３，第２表示部４７は、ディスク形状と同様の形状にするとともに、正面パネル２５ａの高さに近い程度に一定以上大きくすることで、ユーザが遠くからでも容易に識別できるようにし、かつディスク形状をイメージさせることができ、記載されているロゴマークとともに、ユーザにＤＶＤとＢＤとをイメージさせる。
【００８４】
また、第１表示部４１，第３表示部４３，第２表示部４７は、それぞれ近接して配置されるとともに、それぞれが分割された表示部を形成している。つまり、第１表示部４１，第３表示部４３，第２表示部４７において、各々の表示部は、他の表示部から離間しているものの、他の表示部の近隣に配されている。
【００８５】
これにより、各ディスク装置の動作状況をディスク装置毎に別々の表示部に表示することができるため、各ディスク装置の動作状況やディスク間のデータのやり取りの状況等を明確に示すことができる。本実施形態によれば、各ディスク装置の操作状況やデータのやり取りをテキストデータなどによって１つの表示部に表示する構成である一般的な記録再生装置に比べて、視覚的に非常に理解しやすく、一般ユーザが使用する程度の離間距離があっても直感的かつ迅速に状況の把握ができるという利点がある。なお、第１表示部４１，第３表示部４３，第２表示部４７のうち、第１表示部４１側に小さな点灯部が設けられ、録画指令が出されたことを知ることができる。
【００８６】
また、図３（ｃ）に示すように、正面パネル２５ａを開けた状態においては、第４表示部４８ａ，第６表示部４８ｂ，第５表示部４８ｃを兼ねる各選択スイッチによって選択された各ディスク装置（ＤＶＤ装置３１，ＨＤＤ装置３３，ＢＤ装置３５）のいずれかを、再生用スイッチ６１ｂまたは録画用スイッチ６１ｃにより再生状態又は録画状態にすることができる。この際、再生用スイッチ６１ｂまたは録画用スイッチ６１ｃにおいて、外周部に形成されたリング状の発光領域（開口領域）が動作状況に応じた色で発光する。これにより、正面パネル２５ａを開いた状態においても、各ディスク装置（ＤＶＤ装置３１，ＨＤＤ装置３３，ＢＤ装置３５）の動作状態を知ることができる。例えば、再生用スイッチ６１ｂの外周に形成されたリング状の発光領域（開口部）から再生処理を行っている旨を表示する青色が発光し、録画用スイッチ６１ｃ外周のリング状の発光領域（開口領域）からは記録処理を行っている旨を表示するオレンジ又は赤色で発光する。
【００８７】
なお、本実施の形態においては、正面パネル２５ａの表示ユニット４０と正面パネル２５ａを開いた状態で見える内側表示ユニット４８とを異なる光源により発光させている例について説明しているが、例えば、正面パネル２５ａとそれを開いた位置にそれぞれ設けられる表示部を略対向する位置に配置することも可能である。つまり、例えば、正面パネル２５ａの表面に表示ユニット４０における第１表示部４１を設けると共に、正面パネル２５ａの裏面かつ第１表示部４１と対向する位置に内側表示ユニット４８の第４表示部４８ａを設けることも可能である。このようにすると、第１表示部４１と第４表示部４８ａとを共通の発光源により発光させるように構成することも可能であり、発光素子の部品点数を削減できるとともに、構成を簡単化でき、消費電力を低減することができるという利点がある。
【００８８】
以下、録画の特徴（ダビング方向）について１トレイの場合と２トレイの場合とを比較して説明する。
【００８９】
まず、１トレイの場合には、ＨＤＤ−ＤＶＤ間とＨＤＤ−ＢＤ間のそれぞれの双方向ダビングが可能であり、合計で４通りのデータの移動経路が考えられる。一方、２トレイの場合には、ＨＤＤ−ＤＶＤ間とＨＤＤ−ＢＤ間とＤＶＤ−ＢＤ間との計６通りのダビングが可能となり利便性が高いうえ、さらに２トレイの場合には一方の光学ディスクにアクセス中にもう一方の光学ディスクの着脱が可能であるという高い利便性を実現できる。また、ＤＶＤ−ＢＤ間のダビングのみならず、ＤＶＤとＢＤとの同時録画が可能である。例えば、ＤＶＤにはＨＤの映像を、ダウンコンバータを介してＳＤ画質で記録し、ＢＤには同じ番組（１チューナでも可能）又は異なる番組（２チューナの場合）、ＨＤ画質の映像を記録することができる。これにより処理時間を短縮することができ、この際に同時にＨＤＤにも記録可能であるという利点がある。
【００９０】
なお、２チューナの場合には、ＢＤに映像を記録しながらＤＶＤ、ＨＤＤ間で追いかけ再生を行うことも可能である。ここで、「追いかけ再生」とは、映像を記録またはダビングしながら、同時に、当該映像を最初から再生することを意味する。
【００９１】
例えば、ダビング中の追いかけ再生として、ＢＤのコンテンツを再生表示させつつこのコンテンツをＤＶＤに記録することも可能である。さらに、ＤＶＤからＢＤへのダビング中に、ＤＶＤも追いかけ再生することができる。
【００９２】
また、ＢＤに記録されている映像を再生しながら、チューナで選局した放送番組をＤＶＤに記録することも可能である。
【００９３】
このように、本実施の形態による記録再生装置では、従来よりも複雑な動作を行うことができるが、反面、動作状況を把握するのが難しくなるため、上記のような表示を行うことが好ましい。 
【００９４】
つぎに、正面パネル２５ａに設けられている表示ユニット４０の表示制御について主として図１、図５及び図８〜図１６までを参照しつつ詳細に説明する。符号に関しては、全図を参照して説明する。まず、基本的な表示制御方法について説明を行う。表示ユニット４０の第１表示部４１，第３表示部４３，第２表示部４７において、基本的な表示方法としては、白色、青色、赤色の３色により色分け表示を行う。
【００９５】
例えば、白色は、現在操作が可能なディスク装置であって、再生・録画中（動作中）のディスク装置を除くディスク装置であることを意味する。すなわち、ＤＶＤ装置３１やＢＤ装置３５に記録メディアが入っている場合に白色による表示がなされる。具体的に、ＤＶＤ装置３１に記録メディアが入っている場合には第１表示部４１において白色表示がなされ、ＢＤ装置３５に記録メディアが入っている場合には第２表示部４７において白色表示がなされる。白色は何も行っていないというイメージを想起させるものであり、再生又は録画中でないことをユーザに報知するのに相応しい色である。
【００９６】
また、例えば、青色ＬＥＤによる青色の表示はディスク内に記録されたコンテンツを再生中である旨を意味し、例えば赤色ＬＥＤによる赤色の表示はディスクにコンテンツを記録（録画）中である旨を意味する。すなわち、ＤＶＤ装置３１において再生動作が実行されている場合、第１表示部４１において青色表示がなされ、ＨＤＤ装置３３において再生動作が実行されている場合、第３表示部４３において青色表示がなされ、ＢＤ装置３５において再生動作が実行されている場合、第２表示部４７において青色表示がなされる。また、ＤＶＤ装置３１において録画動作が実行されている場合、第１表示部４１において赤色表示がなされ、ＨＤＤ装置３３において再生動作が実行されている場合、第３表示部４３において赤色表示がなされ、ＢＤ装置３５において録画動作が実行されている場合、第２表示部４７において赤色表示がなされる。
【００９７】
これにより、利用者からすれば、ディスクの動作状況を一定以上の離間距離があっても明確に認識することができる。なお、色による表示は例示であり、識別可能な表示でればその他の方法でも良い。
【００９８】
一方、第３表示部４３における点灯の基本方針は、以下の優先順位に基づく。１）ＨＤＤ装置３３が動作（すなわち、録画又は再生）している場合、第３表示部４３の液晶パネル４３ｂには、ＨＤＤ装置３３の動作状況などを表示する。また、第３表示部４３は、基本的には本実施の形態による記録再生装置Ａの動作における記録再生処理の中心的役割を果たすＨＤＤ装置３３の状況を表示するため、色表示に加えて液晶パネル４３ｂの文字表示が可能になっており、第１表示部４１および第２表示部４７に比べて多機能になっている。
２）ＨＤＤ装置３３が動作していない場合、第３表示部４３の液晶パネル４３ｂには、動作中のＤＶＤ装置３１やＢＤ装置３５の動作状況（再生・録画）などの情報を文字表示する。
３）再生と録画とが同時に実行されている場合は、第３表示部４３の液晶パネル４３ｂには再生情報を優先的に表示する。
【００９９】
つぎに、本実施の形態による記録再生装置の表示部の表示制御について、図８および図９のフローチャートをメインに他の図も参照しつつ説明する。
【０１００】
まず、図８のステップ１（以下、「Ｓ１」のように称する）において、リモコン装置ＲＣの電源スイッチをオンすると、ＣＰＵ３は、リモコン装置ＲＣからの電源オン指令を、ＲＣ受光部１７を介して受け取り、実際に記録再生装置Ａの電源をオンにする。この状態における表示部の表示例を図１６（ａ）に示す。
【０１０１】
図１６（ａ）の「１  電源ＯＮ」の下欄に示すように、ＤＶＤ装置３１用の第１表示部４１において、光透過部４１ｂから白色ＬＥＤの白色光による点滅表示がなされる。また、ＢＤ装置３５用の第２表示部４７においても同様に白色光による点滅表示がなされる。また、このとき、ＨＤＤ装置３３はディスクが常在し常にランダムにアクセスが可能な記録再生メディアであるため、ＨＤＤ装置３３用の第３表示部４３において、電源オンに応じて白色光が点灯し、記録再生装置Ａの起動を報知するための文字表示、例えば”HELLO”の文字列が１回だけスクロール表示される。
【０１０２】
なお、ＬＣＤによる文字表示は図１０に示すように、文字を大きくするために、最大３文字までの表示が可能になっており、比較的低速（例えば２Ｈｚ程度）でスクロール表示がなされるようになっている。この点について具体的に説明すると、第３表示部４３は、図１５に示すように、表示すべき文字列をスクロール表示し、かつ、当該文字列に含まれる各文字の同時表示を最大３文字にすることによって、スクロールされる文字列を可能な限り大きく表示するようにしている。これにより、ユーザは、大きな文字が低速でスクロール表示されるため、例えば”HELLO”や”COPY”などのスクロールされる文字列を容易に認識することができる。
【０１０３】
ついで、図８のＳ２において、ＣＰＵ３は、現在の各ディスク装置（ＤＶＤ装置３１、ＨＤＤ装置３３、ＢＤ装置３５）の状態をそれぞれの検出部３１ｃ、３３ｃ、３５ｃからディスク駆動制御部３７を介して取得するとともに、例えば放送信号の有無を検出する。
【０１０４】
もし、ディスク装置内にディスクが入っていない場合にはディスク無しである旨を検出すると消灯するが、ディスク装置に対応する（読み書きなどが可能な）ディスクが入っている旨をＣＰＵ３が認識すると（ＤＶＤ、ＢＤのディスクの読み込み完了）、ＣＰＵ３から表示制御部５１を介しての命令により表示が白点滅から消灯表示に切り替わる。
【０１０５】
この際、ＨＤＤ装置３３用の第３表示部４３においては、インターフェイス部１５からのＴＶ番組の放送が受信されていると、その番組のチャンネルを示す文字（図１６では、ＢＳ１０３ＣＨ）が白色のＬＥＤバックライトにより点滅表示される。例えば、ユーザは、この表示に基づいて現在受信スタンバイ状態にある番組を知ることができる。
【０１０６】
ついで、ディスクの読み込み処理ステップ、番組の受信選局処理ステップを終えると、Ｓ３においてＳ２で検出された情報に基づく表示を行う。すなわち、ＤＶＤ装置３１、ＢＤ装置３５におけるディスク情報読み込み処理が完了すると、図１６に示すように、第１表示部４１・第２表示部４７は、白色の点滅から消灯状態に変化する。ＨＤＤ装置３３における準備も完了すると、番組のチャンネルが確定し（ＢＳ１０３ＣＨ）、このチャンネルを示す文字情報が白色のＬＥＤバックライトにより点灯状態で表示される。ユーザは、この状態で全てのディスク装置がスタンバイ状態になったことを知ることができる。
【０１０７】
ついで、Ｓ４において、ＣＰＵ３は、各ディスク装置に対する新たな動作又はデータの移動等のための操作が行われたか否かを検出する処理を常時又は定期的に行う。新たな処理が検出されると、Ｓ５に進み、ＣＰＵ３は、ＤＶＤのディスク、ＨＤＤ、ＢＤのディスクのいずれかの操作入力の検出（ディスク装置の各々の状態の検出）を行い、データの移動に関する情報に基づいて、上記表示ユニット４０に新たな表示を行う。
【０１０８】
また、ＣＰＵ３は、Ｓ５の状態に新たな変化（ディスク装置の各々の状態の変化）があるか否かを検出し、新たな変化があった場合には（Ｓ６においてＹＥＳ）、Ｓ７に進み、検出された情報（変化したそれぞれの装置の状態）に基づいて上記表示の方針と優先順位とを考慮して、動作状況やデータの移動状況等を各表示部４１，４３，４５の各々に表示し（ＬＥＤ表示、またはＬＣＤ表示）、処理を終了する（Ｓ８）。
【０１０９】
より詳細な表示の制御に関して図１１から図１５までを参照しつつより具体的に説明する。
【０１１０】
図１１の表示例１）は、ＨＤＤモード時（電源オン時）の表示例であり、第３表示部４３は、白点灯するとともに、ＢＳの１０３チャンネル（ＣＨ）に選局された番組がインターフェイス部１５から入力されている旨を表示している。
【０１１１】
図１１の表示例２）は、ＤＶＤモード時（電源オン時）の表示例であり、表示例１）に加えて、ＤＶＤ装置３１に対応する第１表示部４１が白点灯し、ＤＶＤ装置３１が使用可能である旨を表示している。
【０１１２】
図１１の表示例３）は、ＢＤモード時（電源オン時）の表示例であり、表示例１）に加えて、ＢＤ装置３５に対応する第２表示部４７が白点灯し、ＢＤ装置３５が使用可能である旨を表示している。
【０１１３】
これにより、電源オン時において、使用可能なディスク装置（ＤＶＤ装置３１，ＨＤＤ装置３３，ＢＤ装置３５）を利用者に通知することができる。なお、ＨＤＤ装置３３は電源オン時には必ず使用可能になるため、図１１の表示例１）から表示例３）の全てのケースにおいて、第３表示部４３は、使用可能を示す白点灯がなされている。
【０１１４】
図１１の表示例４），５）は、それぞれ、ＨＤＤ装置３３による録画時、ＨＤＤ装置３３による再生時の表示例を示し、表示例４）では、第３表示部４３が赤色点灯するとともに第３表示部４３において受信チャンネル名が表示されており、表示例５）では第３表示部４３が青色点灯するとともに第３表示部４３において“ＰＬＡ”という文字が表示されており、ＨＤＤ装置３３のコンテンツが“ＰＬＡＹ（再生）”中である旨を表示している。
【０１１５】
図１２の表示例１）、２）は、それぞれ、ＤＶＤ装置３１による録画動作時、ＤＶＤ装置３１による再生動作時の表示例を示し、当該録画動作時は第１表示部４１が赤色点灯し、当該再生動作時は第１表示部４１が青色点灯する。第３表示部４３は、前者ではＢＳの１０３チャネル（ＣＨ）が動作中のＤＶＤ装置３１の情報として表示され、後者では再生を意味する（Ｐｌａｙ）のうちの３文字が動作中のＤＶＤ装置３１の情報として表示されている。
【０１１６】
図１２の表示例３）、４）は、それぞれ、ＢＤ装置３５による録画動作時、ＢＤ装置３５による再生動作時の表示例を示し、当該録画動作時は第２表示部４７が赤色点灯し、当該再生動作時は第２表示部４７が青色点灯する。第３表示部４３については表示例１）、２）と同じ表示がなされる。なお、図１１の表示例４），図１２の表示例１），図１２の表示例３）では、録画表示部αが赤色点灯することによって、録画を受け付けている旨の報知が別途行われている。
【０１１７】
図１２の表示例５）は、ＨＤＤ録画・再生時の表示例を示す図である。この例においては、第３表示部４３が青点灯し、ＨＤＤ装置３３によってコンテンツ再生が行われており、かつ、録画表示部αが赤点灯することで、ＨＤＤ装置３３がコンテンツ再生を行いつつ裏でＢＳ１０３ＣＨの番組の録画も行っていることを示している。
【０１１８】
このように、録画表示部αを合わせて有することで、１つの表示部だけでは表示しきれない複雑な動作状況も表示可能である。なお、この際、録画表示部αでの表示の代わりに、例えば、円形（リング形状）の表示部４１・４３・４５の各々を２分し、表示部４１・４３・４５の各々において、赤色と青色との表示を同時に行っても良い。
【０１１９】
図１３の表示例１）は、ＨＤＤ録画・ＤＶＤ再生時の表示例を示す図である。この例では、第３表示部４３が赤点灯しており、第３表示部４３にて文字表示されているチャンネル（ＢＳ１０３ＣＨ）に対応する番組放送をＨＤＤ装置３３にて録画中であることを示し、かつ、第１表示部４１が青点灯しており、ＤＶＤ装置３１によってＤＶＤからコンテンツの再生が行われていることを示している。つまり、この例では、第１表示部４１が青点灯してＤＶＤのディスクからコンテンツ再生が行われており、かつ、録画表示部αが赤点灯することで、ＤＶＤの再生を行いながら裏でＨＤＤ録画も行っていることを示している。
【０１２０】
図１３の表示例２）は、ＨＤＤ録画・ＢＤ再生時の表示例を示す図である。この例では、第３表示部４３が赤点灯しており、第３表示部４３にて文字表示されているチャンネル（ＢＳ１０３ＣＨ）に対応する番組放送をＨＤＤ装置３３にて録画中であることを示し、かつ、第２表示部４７が青点灯しており、ＢＤ装置３５によってＢＤからコンテンツの再生が行われていることを示している。つまり、この例では、第２表示部４７が青点灯してＢＤのディスクからコンテンツ再生が行われており、かつ、録画表示部αが赤点灯することで、ＢＤの再生を行いながら裏でＨＤＤ録画も行っていることを示している。
【０１２１】
図１３の表示例３）は、ＤＶＤ録画・ＨＤＤ再生時の表示例を示す図である。この例では、第１表示部４１が赤点灯してＤＶＤ装置３１が録画動作中である旨を表示するとともに、第３表示部４３が青点灯して“ＰＬＡＹ”のスクロール表示を行っておりＨＤＤ装置３３がコンテンツの再生中であることを示している。なお、この場合には、ＨＤＤ装置３３の動作中に、ＨＤＤ装置３３の動作状況として“ＣＯＰＹ”や“ＭＯＶＥ”ではなく、“ＰＬＡＹ”の表示がされていることから、いわゆるダビングではなく、ＨＤＤ装置３３とＤＶＤ装置３１とでそれぞれ無関係に再生と録画とが行われていることを認識することができる。
【０１２２】
図１３の表示例４）は、ＤＶＤ録画・ＢＤ再生時の表示例を示す図である。第１表示部４１が赤点灯してＤＶＤ装置３１が録画動作中である旨を表示するとともに、第２表示部４７が青点灯してＢＤ装置３５が再生動作中であることを示している。また、白点灯している第３表示部４３によって、ＨＤＤ装置３３がスタンバイ状態であり動作状態にはないこと、かつ、第３表示部４３において“ＰＬＡＹ”のうちの３文字 “ＰＬＡ” がスクロール表示されているため、ユーザはＨＤＤ装置３３ではなくＢＤ装置３５が再生動作中すなわち“ＰＬＡＹ”中であることを認識することができる。
【０１２３】
図１３の表示例５）は、ＢＤ録画・ＨＤＤ再生時の表示例を示す図である。この例では、第３表示部４３が青点灯しており、第３表示部４３において“ＰＬＡＹ”のスクロール表示が行われていることから、ＨＤＤ装置３３がコンテンツの再生中であることを示している。また、第３表示部が赤点灯してＢＤ装置３５が録画動作中であることを示している。なお、この場合には、ＨＤＤ装置３３の動作中にＨＤＤの動作状況として“ＣＯＰＹ”や“ＭＯＶＥ”ではなく、“ＰＬＡＹ”の表示がされていることから、いわゆるダビングではなく、ＨＤＤ装置３３とＢＤ装置３５とで無関係に再生と録画とが行われていることを認識することができる。
【０１２４】
図１３の表示例６）は、ＢＤ録画・ＤＶＤ再生時の表示例を示す図である。第１表示部４１が青点灯しており、ＤＶＤ装置３１が再生動作中である旨を表示するとともに、第２表示部４７が赤点灯しており、ＢＤ装置３５が録画動作中であることを示している。ここで、第３表示部４３は白点灯しており、さらに、第３表示部４３には“ＰＬＡＹ”のうちの３文字 “ＰＬＡ” がスクロール表示されているため、ユーザは、ＨＤＤ装置３３ではなくＤＶＤ装置３１が再生動作中すなわち“ＰＬＡＹ”中であり、いわゆるダビングではなく、ＤＶＤ装置３１とＢＤ装置３５とで無関係に再生と録画とが行われていることを認識することができる。
【０１２５】
図１３の表示例７）は、ＨＤＤからＤＶＤへのダビング時の表示例を示す図である。第１表示部４１が赤点灯してＤＶＤ装置３１が記録動作中であり、第３表示部４３が青点灯してＨＤＤ装置３３が再生動作中であり、かつ、第３表示部に“ＣＯＰＹ”の文字がスクロール表示されていることから、ユーザは、ＨＤＤからＤＶＤへのダビング処理が行われていることを認識することができる。
【０１２６】
図１３の表示例８）は、ＨＤＤからＢＤへの（高速）ダビング時の表示例を示す図である。この例では、第３表示部４３が青点灯している。かつ、第３表示部４３においては、下部に“高速”という文字が表示されることで高速ダビング中であることを示すとともに、現在表示装置（不図示）に出力されている番組のチャンネルを示す「ＢＳ１０３」の文字が表示されている。さらに、第２表示部４７が赤点灯であることから、ＨＤＤからＢＤへの（高速）ダビング処理が行われている旨がわかるように表示されている。
【０１２７】
図１３の表示例９）は、ＨＤＤからＢＤへの（等速）ダビング時の表示例を示す図である。この例では、第３表示部４３が青点灯して、かつ、第３表示部４３にて“ＣＯＰＹ”の文字がスクロール表示されており、かつ、第２表示部４７に赤点灯がされていることから、ＨＤＤからＢＤへの（等速）ダビング処理が行われている旨がわかるように表示されている。なお、高速ダビング時には、“高速”表示を出し、等速の場合には、その旨の表示はしないようにして速度を識別できるようにしている。
【０１２８】
図１３の表示例１０）は、ＨＤＤからＩＥＥＥ１３９４端子による接続先の機器へのダビング（等速）時の表示例を示す図である。第３表示部４３が青点灯して、かつ、第３表示部４３に“ｉ−ｌｉｎｋ”の文字がスクロール表示されており、かつ、第１表示部４１と第２表示部４７とは消灯されていることから、ＨＤＤ装置３３からＩＥＥＥ１３９４端子による接続先の機器への（等速）ダビング処理が行われている旨がわかるように表示されている。
【０１２９】
図１４の表示例１）は、ＤＶＤからＨＤＤへの（等速）ダビング時の表示例を示す図である。第１表示部４１が青点灯し、かつ、第３表示部４３が赤点灯するとともに第３表示部４３に“ＣＯＰＹ”の文字がスクロール表示されていることから、ＤＶＤからＨＤＤへの（等速）ダビング処理が行われている旨がわかるように表示されている。
【０１３０】
つまり、利用者からすれば、第１表示部４１・第２表示部４７によってＤＶＤ装置３１とＨＤＤ装置３３とが作動していることを認識でき、第３表示部４３に表示されている“ＣＯＰＹ”の文字によって、ＤＶＤ装置３１とＨＤＤ装置３３とが共同してダビング処理を実行していることを認識できる。
【０１３１】
図１４の表示例２）は、ＤＶＤからＢＤへの（等速）ダビング時の表示例を示す図である。第１表示部４１が青点灯し、かつ、第３表示部４３が白点灯するとともに第３表示部４３に“ＣＯＰＹ”の文字がスクロール表示されており、かつ、第２表示部４７が赤点灯していることから、ＤＶＤからＢＤへの（等速）ダビング処理が行われている旨がわかるように表示されている。
【０１３２】
図１４の表示例３）は、ＢＤからＨＤＤへの（高速）ダビング時の表示例を示す図である。第３表示部４３が赤点灯するとともに第３表示部４３に高速という文字を表示することで高速ダビング中であることを示すとともに、現在表示装置（不図示）に出力されている番組チャンネルＢＳ１０３の文字が第３表示部４３に表示されており、かつ、第２表示部４７は青点灯していることから、ＢＤからＨＤＤへの（高速）ダビング処理が行われている旨がわかるように表示されている。
【０１３３】
図１４の表示例４）は、ＢＤからＨＤＤへの（等速）ダビング時の表示例を示す図である。第３表示部４３が赤点灯するとともに第３表示部４３に“ＣＯＰＹ”の文字がスクロール表示されており、かつ、第２表示部４７が青点灯していることから、ＢＤからＨＤＤへの（等速）ダビング処理が行われている旨がわかるように表示されている。
【０１３４】
図１４の表示例５）は、ＢＤからＤＶＤへの（等速）ダビング時の表示例を示す図である。第１表示部４１が赤点灯するとともに、第３表示部４３が白点灯しており、第３表示部４３に“ＣＯＰＹ”の文字がスクロール表示されており、かつ、第２表示部４７が青点灯していることから、ＢＤからＤＶＤへの（等速）ダビング処理が行われている旨がわかるように表示されている。
【０１３５】
図１４の表示例６）は、タイムシフト視聴の表示例を示す図である。第３表示部４３が青点灯しており、かつ、タイムシフト中のチャンネル表示がなされている。第１及び第３表示部４１・４７は消灯している。これより、タイムシフト視聴が行われている旨を表示することができる。
【０１３６】
なお、タイムシフト視聴とは、出力中の番組をまとめてハードディスクに記録し、当該番組を一時停止したり、前にさかのぼって見直すことを意味する。
【０１３７】
図１４の表示例７）は、追いかけ再生時の表示例を示す図である。第３表示部４３は青点灯しており、かつ、第３表示部４３において追いかけ再生中のチャンネルが文字表示なされているとともに、追いかけ再生中は録画表示部αに録画中を示す赤色ランプを点灯しタイムシフト視聴ではないことを報知する。この場合、第１および第３表示部４１・４７は消灯させることで、追いかけ再生（タイムシフト再生）が行われている旨を報知することができる。
【０１３８】
図１５は、第３表示部４３における文字の表示（液晶表示）の例を示す図である。図１５（ａ）に示すように、（１）チューナ受信時は、そのチューナが受信している放送種別（この場合はＢＳ放送）とチャンネル（この場合は１０３ＣＨ）が表示される。（２）外部ＡＶ入力時は、例えばＬ１の表示がなされる。（３）ＤＶ（ＩＥＥＥ１３９４）入力時は、ＤＶの文字が表示される。（４）ｉＬＩＮＫ（ＴＳ）時は、その旨の表示がなされる。なお、ＩＥＥＥ１３９４規格には、互いにデータ形式の異なるＤＶ信号とＴＳ信号の２つの信号があり、各信号は共通の端子から入出力可能である。
【０１３９】
また、図１５（ｂ）に示すように、（１）ダビング（コピー）時は、ＣＯＰＹの文字のうち、１〜３文字がスクロール表示される。（２）ダビング（ムーブ）時は、ＭＯＶＥの文字のうち、１〜３文字がスクロール表示される。（３）再生時は、ＰＬＡＹの文字のうち、１〜３文字がスクロール表示される。（４）衛星ダウンロード時は、バックライトが消灯されている状態で、ＤＬの文字が表示される。（５）Ｂ−ＣＡＳ通信時は、バックライトが消灯されている状態で、ＣＡＳの文字が表示される。（６）地上デジタルＥＰＧ取得時は、バックライトが消灯されている状態で、ＥＰＧの文字が表示される。（７）番組表表示時は、バックライトが点灯されている状態で、ＥＰＧの文字が表示される。
【０１４０】
なお、図１５に示した各表示例は一例であり、第１表示部４１，第３表示部４３，第２表示部４７の色点灯と、第２表示部４７の文字表示とによって、ＤＶＤ装置３１，ＨＤＤ装置３３，ＢＤ装置３５の各々の動作状況，各装置間のデータの移動方向，記録再生装置Ａの動作状況等を利用者に認識させることができる。
【０１４１】
図９は正面パネル２５ａの開を検出した場合の処理の流れを示すフローチャート図である。図８のＳ５において、正面パネル２５ａの開動作をＣＰＵ３が検知すると（Ｓ１１）、Ｓ１２において、正面パネル２５ａにおける各表示部４１，４３，４７に、各ディスク装置の動作状態が表示される。この際、正面パネル２５ａの各表示部４１，４３，４７のＬＥＤはオフする。
【０１４２】
ついで、Ｓ１３において、ディスクの交換等の処理を行う。この際、Ｓ４において、正面パネル２５ａの開キー又はＥｊｅｃｔキーの操作を検出した後に、Ｓ１２の処理を実行し、正面パネル２５ａが開いたことを検出した後にトレイのＥｊｅｃｔ動作を行う。トレイ上にディスクを載せディスク装置にローディングした後に、Ｓ１４において、ＣＰＵが正面パネル２５ａの閉を検出すると、図８のＳ２に進む。
【０１４３】
以上のように、本実施の形態による記録再生装置では、正面パネルに設けられ３つのディスク装置と同じ並びで配置された３連の表示部の色表示と簡単な文字表示とにより、ディスク装置の動作状況とデータの移動状況とを表示することができるため、ユーザはこの表示部を見るだけで現在の状況を簡単に知ることができる。なお、色表示は表示部にカラーＬＣＤを用いて例えばデータの流れ（移動方向）がわかるように、表示領域が移動方向に向けて順次移動していくようにすることもできる。
【０１４４】
以上のように、本実施の形態による記録再生装置では、正面パネルに設けられ３つのディスク装置と同じ並びで配置された３連の表示部の色表示と簡単な文字表示とにより、ディスク装置の動作状況とデータの移動状況とを表示することができるため、ユーザはこの表示部を見るだけで現在の状況を簡単に知ることができる。尚、色表示は表示部にカラーＬＣＤを用いて例えばデータの流れ（移動方向）がわかるように、表示領域が移動方向に向けて順次移動していくようにすることもできる。
【０１４５】
次に、本実施の形態の第１変形例による記録再生装置について説明する。上述した実施の形態においては、中央に位置する第３表示部４３に文字表示を行っている例を示したが、第１変形例においては、データの移動方向を矢印などの方向を示す記号で表示する点を特徴とする。例えば、ＤＶＤからＢＤにデータを移動させている場合には、ＤＶＤ装置３１に対応する第１表示部４１からＢＤ装置３５に対応する第２表示部４７に向けた方向の矢印を第３表示部４３に表示する。データの移動方向が逆の場合には、逆向きの矢印が表示される。また、ＨＤＤ装置３３と光ディスク装置（ＤＶＤ装置３１，ＢＤ装置３５）との間のデータの移動方向を表示する場合には、例えば、第３表示部４３の円を縦方向に２分する線をＨＤＤ装置３３に見立てて、２分する線と第１表示部４１又は第２表示部４７との間で方向を示す矢印などを表示することによって、データの移動方向を示すことも可能である。本第１変形例によれば、文字表示の場合よりもより視覚的に認識しやすい方向記号によりデータの移動方向を示すことができるため、よりわかりやすい表示とすることができるという利点がある。
【０１４６】
つぎに、本実施の形態の第２変形例による記録再生装置について説明する。本変形例による記録再生装置は、機器の再生信号の種類により色を変更して表示することを特徴とする。再生信号の種類とは、例えば、ＳＤ（標準）とＨＤ（高精細）映像信号との違い、ＭＰＥＧ−１、ＭＰＥＧ−２、ＭＰＥＧ−４などの圧縮方式の違いや、ＤＶＤの規格の違いなどである。例えば、機器の再生信号の種類が同じであれば同じ色にすることで再生と録画とが規格的に一致しておりダビングなどが可能であることを表示する。また、機器の再生信号の種類（例えばＳＤ（標準）とＨＤ（高精細））に応じて色表示を変化させるように制御してもよい。本第２変形例によれば、ダビング時における記録フォーマットを最適化することができる。また、ダビングが可能であるかどうかを操作前に知ることができるという利点がある。また、機器の再生信号の種類（例えばＨＤ（高精細）信号のとき）に応じた色表示を確認することにより、当該再生信号に最適な走査線数（解像度）の表示装置やＨＤ対応の表示モニターを容易に選択でき、記録再生装置からの再生信号の品位と表示モニター側の表示品位とを最適に組み合わせて使用することができる。
【０１４７】
次に、本発明の第３変形例による記録再生装置について説明する。本変形例による記録再生装置は、基本的には前述した実施の形態による記録再生装置と同様であるが、前述のように図５に示す機能ブロック図において位置検出センサー２７を有している。本変形例による記録再生装置は、横置きと縦置きとが可能であり、かつ、縦置きの場合には、位置センサーが縦置きと検出するとＣＰＵ３にその旨の信号を送り、ＣＰＵ３は、表示制御部５１に対して、ＬＣＤ表示の向きを９０度変更し縦置き時において正常に読めるように、表示部（第１表示部４１，第３表示部４３，第２表示部４７）の表示方法を変えるように指示を行う。この場合には、表示をスクロールさせる際には縦方向に読むことになるが、特に問題は生じない。本変形例による記録再生装置によれば、横置き、縦置きのいずれにも対応することができ、設置状況やユーザの好みによって適宜置き方を変更することができる。その際、表示部（第１表示部４１，第３表示部４３，第２表示部４７）の形状が円形であるため、いずれの設置の場合にも違和感なく表示によるディスク装置の動作状況やデータの移動方向を知ることができるという利点がある。
【０１４８】
以上、本実施の形態による記録再生装置では、ＤＶＤ装置３１とＢＤ装置３５とを含む２トレイ方式を用いているため、種々の複雑な操作を行うことができるが、その際にＨＤＤ装置３３を含めた３ディスクの動作状態とデータの移動とを正面に並ぶディスク装置Ａに対応しディスク装置毎に分割された表示部により集中表示することにより、各ディスク装置の作動状況を簡単に把握することができるという利点がある。また、ＨＤＤ装置３３に変えて半導体記録装置を用いる構成としてもよく、この場合は記録再生装置をさらに薄型化、軽量化することができる。
【０１４９】
なお、上記の半導体記録装置としては、ＥＰＲＯＭ（Electrically Programmable Read Only memory），ＥＥＰＲＯＭ（Electrically Erasable Programmable Read Only Memory），フラッシュメモリ等のデータの書き換え可能な不揮発性メモリが考えられる。
【０１５０】
また、正面パネル２５ａを開閉式とし、正面パネル２５ａに設けられている表示ユニット４０（第１表示部４１，第３表示部４３，第３表示部４５）と、正面パネルを開けた場合に露出される筐体面に設けられている内側表示ユニット４８（第４表示部４８ａ・第６表示部４８ｂ・第５表示部４８ｃ）と、を有しているため、表示に関する領域の面積を大きくとることができる。また、第１表示部４１，第３表示部４３，第３表示部４５を円形形状にすることでユーザにディスクをイメージさせ、また、各表示部を可能な限り大きく構成することでユーザにとってわかりやすい表示が可能になる。
【０１５１】
なお、本実施の形態においては、略円形又はリング形状であって発光領域としての第１表示部４１，第３表示部４３，第２表示部４７からなる表示ユニット４０を設ける例について説明したが、各表示部４１，４３，４７の形状は正方形、長方形、菱形、星型など種々の形状であっても、ディスク毎に分割されていれば本発明の範疇に入るものとする。但し、縦置きと横置きとの両方に対応させるためには、縦方向と横方向とで同じように表示される形状が好ましい。分割方法も、例えば１つの領域を２つの線により３領域に分割する方法でも良い。正面パネルの表示部がそれぞれ操作キーになっていても良い。
【０１５２】
つまり、表示ユニット４０に含まれる表示部の数は、少なくとも、ディスク装置（ＤＶＤ装置３１，ＨＤＤ装置３３，ＢＤ装置３５）の数だけ設けられ、少なくとも、各表示部が互いに別々のディスク装置の動作状況を表示するものであればよく、各表示部の配置、形状は限定されない。
【０１５３】
また、本実施の形態においては、１つのＨＤＤ装置３３と２つの光学ディスク装置（ＤＶＤ装置３１，ＢＤ装置３５）とを含む２トレイ方式の記録再生装置Ａを例にして説明したが、表示制御に関してはトレイ数に関係なく同様の制御を行うことができる。特に、３トレイ式なども含まれる。また、液晶テレビなどとの複合機一体型や分離型記録再生装置にも好適に適用可能である。
【０１５４】
次に、本発明の第４変形例による記録再生装置Ａについて説明する。本変形例による記録再生装置Ａは、基本的には前述した実施の形態による記録再生装置Ａと同様の構成を有している。加えて、本変形例による記録再生装置Ａは、例えば、インターフェイス部１５（図５）を介して記録再生装置に有線又は無線により接続され、一般的に記録再生装置からの再生データを表示する外部表示装置、例えば液晶ＴＶや液晶モニター、携帯端末（携帯電話機のＬＣＤモニターを含む）などの表示部（外部表示部）に、上述の記録再生装置Ａにおける記録再生部のそれぞれの作動状態又は記録再生装置Ａ自体の作動状態又は記録再生部におけるデータの移動に関する情報など上記各実施の形態による表示と関連する報知（例えば表示）を行うための表示制御用の信号の出力を行う。例えば、外部表示部にＯＳＤ表示させるための信号の選択および出力に関する制御を行う外部表示制御部を設けることを特徴とする。
【０１５５】
例えば、外部表示制御部によれば、前述した実施の形態による記録再生装置の第１表示部４１と、第３表示部４３と、第２表示部４７と、における表示と同様の記録再生装置又は各記録再生部の作動状態又はデータの移動状況などを、外部表示装置にも表示させることができる。
【０１５６】
このように、本変形例による記録再生装置Ａによれば、外部表示装置に記録再生装置に関する作動状態、データの移動状況などを表示させるための外部表示制御部を有しているため、例えば、記録再生装置Ａがラック内に設置されていて第１表示部４１と、第３表示部４３と、第２表示部４７の表示が良く見えない場合や、遠隔から操作しているため第１表示部４１と、第３表示部４３と、第２表示部４７の表示を直接には確認できない場合などにおいても、記録再生装置の作動状態データの移動状況を知ることができる。この場合、確認した状態に応じてリモコン装置などで記録再生装置を遠隔操作できるのが好ましい。
【０１５７】
次に、本発明の第５変形例による記録再生装置Ａについて説明する。本変形例による記録再生装置Ａは、基本的に第４変形例による記録再生装置と同様であるが、本変形例による記録再生装置Ａの外部表示制御部は、外部表示装置の表示の背景色、又はＯＳＤ表示における記号・文字など（ＤＶＤ、ＢＤのロゴマークなどを含む）により、現在外部表示装置に表示中の映像がＤＶＤ又はＨＤＤ又はＢＤのいずれの記録媒体を再生した映像であるかを報知する機能を有している。例えば、第１表示部４１と、第３表示部４３と、第２表示部４７の表示がされていない場合でも、ユーザは、この外部表示装置の画面表示に基づいて、記録再生装置Ａの作動状況などを報知することができる。なお、この際、外部表示装置の表示画面を分割して、複数の記録媒体に関する情報を表示させてもよい。現在、いずれの記録媒体からのデータを再生中であるかを、音声により報知してもよい。
【０１５８】
つまり、以上示した記録再生装置Ａにおいては、当該記録再生装置Ａとは別体であって当該記録再生装置Ａから再生される映像を表示する外部表示装置Ａに、記録再生装置Ａの作動状態を示す状態情報を表示する制御を行う外部表示制御部を備えていることとなる。また、上記状態情報には、ＤＶＤ装置３１の作動状態を示す情報と、ＢＤ装置３５の作動状態を示す情報とが含まれている。
【０１５９】
さらに、上記外部表示制御部は、上記外部表示装置に、上記状態情報をＯＳＤ表示する制御を行ってもよい。また、上記外部表示制御部は、上記外部表示装置に、ＤＶＤ装置３１の作動状態を示す情報と、ＢＤ装置３５の作動状態を示す情報とを互いに異なる色によって表示する制御を行ってもよい。
【０１６０】
さらに、上記外部表示制御部は、ＤＶＤ装置３１の作動状態を示す情報を、第１表示部４１と上記外部表示装置とに交番で表示し、ＢＤ装置３５の作動状態を示す情報を、第２表示部４７と外部表示装置とに交番で表示する制御を行ってもよい。
【０１６１】
また、上記状態情報には、ＤＶＤ装置３１またはＢＤ装置３５がアクセスしている記録媒体の種類を特定する情報が含まれていてもよい。さらに、記録再生装置Ａには、利用者からの指示によって、第１表示部４１，第２表示部４７，外部表示装置における表示処理に関する各種設定を変更する手段を備えてもよい。
【０１６２】
以上、本実施の形態およびその変形例について説明したが、色表示などの場合に、再生又は記録などを報知するための色や文字は、ユーザの指定により適宜変更できるようにすることも可能である。
【０１６３】
つぎに、さらなる変形例について説明する。前述した実施形態においては、図３（ａ）に示すように、第１表示部４１は、円形の遮光板４１ａと、遮光板４１ａの外周に設けられているリング状の光透過部４１ｂと、から構成され、第２表示部４７は、円形の遮光板４７ａと、遮光板４７ａの外周に設けられているリング状の光透過部４７ｂと、から構成されている。
【０１６４】
しかしながら、第１表示部４１，第２表示部４７においては、円形の遮光板４１ａ・４７ａの代わりに、円形の指示入力用ボタンを構成してもよい。また、第３表示部４３も、円形の指示入力用ボタンと、当該指示入力用ボタンの外周に設けられているリング状の光透過部とから構成されていてもよい。以下では、この指示入力用ボタンを採用した場合の構成について、図に基づいて詳細に説明する。
【０１６５】
まず、記録再生装置Ａの正面パネル２５ａにおいて表示ユニット４０（図１参照）の代わりに、図１７（ａ）に示す表示ユニット１４０を設ける。この表示ユニット１４０は、同図に示すように、第１表示部１４１，第３表示部１４３，第２表示部１４７を含んでいる。
【０１６６】
第１表示部１４１は、ＤＶＤ装置３１に関し、各種情報の表示と各種指示の入力受付とを兼用する部材であり、ＤＶＤを示す文字，図形等の付された円形状のボタン１４１ｂと、ボタン１４１ｂの外周に形成されている光透過部１４１ａとを含む構成である。ボタン１４１ｂは、ＤＶＤ装置３１に関する各種指示の入力を利用者から受け付けるためのボタンである。光透過部１４１ａは、ＤＶＤ装置３１の動作状態を示した色の光を出射し、この色を利用者に表示することによって利用者に上記動作状態を通知するためのものである。
【０１６７】
なお、ボタン１４１ｂは、互いに異なる複数の指示の入力を受け付けるようになっている。例えば、ここでは、ボタン１４１ｂを軽く１回押すと「再生指示」または「停止指示」が入力され、ボタン１４１ｂを所定時間以上連続して押しつづけると「録画指示」が入力されるように設定されていることとするが、この設定は変更可能なものである。
【０１６８】
また、光透過部１４１ａは光源（ＬＥＤ）からの光を透過することによって、上記した光の出射を実現している。また、光透過部１４１ａは、図１７（ｂ）に示すように、白色光を透過する白領域と、赤色光を透過する赤領域と、青色光を透過する青領域とを含んでいる。ここで、青色光は再生動作中であることを示す色であり、赤色光は録画動作中であることを示す色であり、白色光は指示待ち状態であることを示す色である。
【０１６９】
第３表示部１４３は、ＨＤＤ装置３３に関し、各種情報の表示と各種指示の入力受付とを兼用する部材であり、ＨＤＤを示す文字，図形等の付された円形状のボタン１４３ｂと、ボタン１４３ｂの外周に形成されている光透過部１４３ａとを含む構成である。ボタン１４３ｂは、ＨＤＤ装置３３に関する各種指示の入力を利用者から受け付けるためのボタンである。光透過部１４３ａは、ＨＤＤ装置３３の動作状態を示した色の光を出射し、この色を利用者に表示することによって利用者に上記動作状態を通知するためのものである。
【０１７０】
なお、ボタン１４３ｂは、ボタン１４１ｂと同様、互いに異なる複数の指示の入力を受け付けるようになっている。
【０１７１】
また、光透過部１４３ａは、光透過部１４１ａと同様、光源（ＬＥＤ）からの光を透過することによって、上記した光の出射を実現している。さらに、光透過部１４３ａは、図示はしないが光透過部１４１ａと同様、再生動作中を示す白色光を透過する青領域と、録画動作中を示す赤色光を透過する赤領域と、指示待ち状態であることを示す白色光を透過する領域とを含んでいる。
【０１７２】
第２表示部１４７は、ＢＤ装置３５に関する各種情報の表示と各種指示の入力受付とを兼用する部材であり、ＢＤを示す文字，図形等の付された円形状のボタン１４７ｂと、ボタン１４７ｂの外周に形成されている光透過部１４７ａとを含む構成である。ボタン１４７ｂは、ＢＤ装置３５に関する各種指示の入力を利用者から受け付けるためのボタンである。光透過部１４７ａは、ＢＤ装置３５の動作状態を示した色の光を出射し、この色を利用者に表示することによって利用者に上記動作状態を通知するためのものである。
【０１７３】
なお、ボタン１４７ｂは、ボタン１４１ｂと同様、互いに異なる複数の指示の入力を受け付けるようになっている。
【０１７４】
また、光透過部１４７ａも、光透過部１４１ａと同様、光源（ＬＥＤ）からの光を透過することによって、上記した光の出射を実現している。さらに、光透過部１４７ａも、図示はしないが、光透過部１４１ａと同様、再生動作中を示す白色光を透過する白領域と、録画動作中を示す赤色光を透過する赤領域と、指示待ち状態であることを示す白色光を透過する白領域とを含んでいる。
【０１７５】
つぎに、第１表示部１４１，第３表示部１４３，第２表示部１４７の使用例について説明する。
【０１７６】
まず、第１表示部１４１，第３表示部１４３，第２表示部１４７においては、各々に対応するディスク装置が指示待ち状態である場合、上記白領域から白色光が出射される。つまり、ＤＶＤ装置３１が指示待ち状態である場合、第１表示部１４１の光透過部１４１ａの白領域から白色光が出射され、ＨＤＤ装置３３が指示待ち状態である場合、第３表示部１４３の光透過部１４３ａの白領域から白色光が出射され、ＢＤ装置３５が指示待ち状態である場合、第２表示部１４７の光透過部１４７ａの白領域から白色光が出射される。
【０１７７】
ここで、利用者は、再生動作または録画動作を行う場合、第１表示部１４１，第３表示部１４３，第２表示部１４７のうち、再生動作または録画動作を実行させるディスク装置に対応する表示部に含まれるボタンを押すことによって再生動作指示または録画動作指示を入力する。
【０１７８】
例えば、利用者が、ＤＶＤ装置３１に対応する第１表示部１４１に含まれるボタン１４１ｂを押すことによって再生動作指示を入力すると、ＤＶＤ装置３１は再生動作を開始し、これに伴い、第１表示部１４１に含まれる光透過部１４１ａの青領域から青色光が射出され、白領域から白色光が射出される。なお、青色光は再生動作中を示すものであり、白色光は、さらなる指示入力（再生停止指示入力）待ちを示すものである。
【０１７９】
そして、利用者が、さらに、ボタン１４１ｂを押すことによって再生停止指示を入力すると、ＤＶＤ装置３１は再生動作を停止し、これに伴い、第１表示部１４１に含まれる光透過部１４１ａの青領域は消灯する。
【０１８０】
また、例えば、利用者が、ＤＶＤ装置３１に対応する第１表示部１４１に含まれるボタン１４１ｂを押すことによって録画動作指示を入力すると、ＤＶＤ装置３１は録画動作を開始し、これに伴い、第１表示部１４１に含まれる光透過部１４１ａの赤領域から赤色光が射出され、白領域から白色光が射出される。なお、赤色光は録画動作中を示すものであり、白色光は、さらなる指示入力（録画停止指示入力）待ちを示すものである。そして、利用者は、さらに、ボタン１４１ｂを押すことによって録画停止指示を入力すると、ＤＶＤ装置３１は録画動作を停止し、これに伴い、第１表示部１４１に含まれる光透過部１４１ａの赤領域は消灯する。
【０１８１】
また、同様にして、ＨＤＤ装置３３に対する再生動作指示入力または録画動作指示入力は、ＨＤＤ装置３３に対応する第３表示部１４３のボタン１４３ｂを用いて行われる。そして、ＨＤＤ装置３３が再生動作中の場合、第３表示部１４３に含まれる光透過部１４３ａの青領域から青色光が射出され、白領域から白色光が射出される。また、ＨＤＤ装置３３が録画動作中の場合、第３表示部１４３に含まれる光透過部１４３ａの赤領域から赤色光が射出され、白領域から白色光が射出される。
【０１８２】
さらに、同様にして、ＢＤ装置３５に対する再生動作指示入力または録画動作指示入力は、ＢＤ装置３５に対応する第２表示部１４７のボタン１４７ｂを用いて行われる。そして、ＢＤ装置３５が再生動作中の場合、第２表示部１４７に含まれる光透過部１４７ａの青領域から青色光が射出され、白領域から白色光が射出される。また、ＢＤ装置３５が録画動作中の場合、第２表示部１４７に含まれる光透過部１４７ａの赤領域から赤色光が射出され、白領域から白色光が射出される。
【０１８３】
このような構成によれば、ＤＶＤ装置３１，ＨＤＤ装置３３，ＢＤ装置３５等のディスク装置を含んだ記録再生装置において、ディスク装置毎に、ディスク装置の動作情報の表示かつ動作指示入力を行うことの可能な表示部が設けられていることとなる。それゆえ、利用者からすれば、ディスク装置が複数ある場合であっても、使用しようとするディスク装置に対応する表示部のみに着目すれば、当該ディスク装置の動作状況を容易に把握でき、当該ディスク装置を容易に操作することができる。
【０１８４】
つぎに、ダビング動作時における第１表示部１４１，第３表示部１４３，第２表示部１４７の使用例について説明する。なお、以下では、ＨＤＤ装置３３からＢＤ装置３５へダビングを行う場合を例にして説明する。
【０１８５】
まず、利用者は、ＨＤＤ装置３３に対応する第３表示部１４３に含まれるボタン１４３ｂを押すことによって再生動作指示を入力し、ＨＤＤ装置３３を再生状態にする。これにより、利用者は、ＨＤＤ装置３３に記憶されているダビング対象となるタイトル（番組）を確認する。なお、ＨＤＤ装置３３が再生動作状態になるため、図１８（ａ）に示すように、第３表示部１４３に含まれる光透過部１４３ａの青領域において青色光が点灯され、白領域において白色光が点灯されている。
【０１８６】
つぎに、利用者は、ボタン１４３ｂを押すことによって再生停止指示を入力し、一旦、ＨＤＤ装置３３の再生動作を停止する。これに伴い、図１８（ｂ）に示すように、第３表示部１４３に含まれる光透過部１４３ａの青領域は消灯することとなる。
【０１８７】
ここで、利用者が、表示ユニット１４０の近傍に設けられているダビングボタン２００を押すと、ダビング先にすることが可能なディスク装置に対応する表示部において赤色光が点滅表示される。つまり、第１表示部１４１ａに含まれる光透過部１４１ａの赤領域が点滅していると、ＤＶＤ装置３１をダビング先とすることが可能であり、第２表示部１４７に含まれる光透過部１４７ａの赤領域が点滅していると、ＢＤ装置３５をダビング先とすることが可能である。なお、ここでは、図１８（ｃ）に示すように、表示部１４１の光透過部１４１ａの赤領域、表示部１４７の光透過部１４７ａの赤領域のいずれもが点滅しており、ＤＶＤ装置３１，ＢＤ装置３５のいずれかをダビング先とすることが可能であるものとする。
【０１８８】
そして、利用者は、ダビング先として指定するディスク装置に対応する表示部に含まれるボタンを押すことによって、ダビング先のディスク装置を選択する。つまり、利用者が、第１表示部１４１に含まれるボタン１４１ｂを押すと、ＤＶＤ装置３１がダビング先として選択され、第２表示部１４７に含まれるボタン１４７ｂを押すと、ＢＤ装置３５がダビング先として選択される。
【０１８９】
ここでは、利用者が、第１表示部１４１に含まれるボタン１４１ｂを押すことによって、ダビング先としてＤＶＤ装置３１を指定したものとする。これにより、ＨＤＤ装置３３およびＤＶＤ装置３１が動作を開始し、ＨＤＤ装置３３に記憶されているダビング対象となるタイトル（番組）が、ＤＶＤ装置３１に格納されているＤＶＤにダビングされる。
【０１９０】
また、このＨＤＤ装置３３およびＤＶＤ装置３１のダビング動作の開始に伴い、図１８（ｄ）に示すように、第３表示部１４３における光透過部１４３ａの青領域および白領域が点灯し、第一表示部１４１における光透過部１４１ａの赤領域が点滅状態から点灯状態に変化し、第２表示部１４７の光透過部１４７ａの赤領域が消灯する。
【０１９１】
以上のように、記録再生装置Ａは、図１および図２に示すように、筐体（装置本体）１と、筐体１の内部に配され、ＤＶＤ（第１記録媒体）へのデータの記録および／またはＤＶＤ（第１記録媒体）からのデータの読み取りを実行するＤＶＤ装置（第１記録再生部）３１と、ＢＤ（第２記録媒体）へのデータの記録および／またはＢＤからのデータの読み取りを実行するＢＤ装置（第２記録再生部）３５と、を備える。
【０１９２】
また、記録再生装置Ａは、筐体１の外面に形成され、ＤＶＤ装置３１の動作状態を示した動作情報を表示する第１表示部４１と、ＢＤ装置３５の動作状態を示した動作情報を表示する第２表示部４７と、を備えている。
【０１９３】
ここで、記録再生装置Ａにおいては、第１表示部４１の中心と第２表示部４７の中心とを結ぶ線分と、ＤＶＤ装置３１の中心とＢＤ装置３５の中心とを結ぶ線分とを対辺とし、第１表示部４１の中心とＤＶＤ装置３１の中心とを結ぶ線分と、第２表示部４７の中心とＢＤ装置３５の中心とを結ぶ線分とを対辺とする四角形が成立するように、第１および第２表示部４１・４７，ＤＶＤ装置３１，ＢＤ装置３５の各々の配置が決定される。
【０１９４】
このような構成によれば、第１および第２表示部４１・４７を利用者が同時に見た場合、この利用者からすれば、第１表示部４１および第２表示部４７の並び順と、ＤＶＤ装置３１およびＢＤ装置３５の並び順とが一致することになる。それゆえ、利用者からすれば、第１表示部４１および第２表示部４７の並び順によって、各々の表示部に表示されている動作情報がどの装置の動作情報なのかを容易に特定でき、このような記録再生装置Ａは利用者にとって便利である。
【０１９５】
また、図２に示すように、記録再生装置Ａにおいて、筐体１には、ＤＶＤ装置３１にＤＶＤを挿入するためのトレイ正面部（第１挿入口）３１ａと、ＢＤ装置３５にＢＤを挿入するためのトレイ正面部（第２挿入口）３５ａとが備えられている。さらに、記録再生装置Ａにおいては、第１表示部４１の中心と第２表示部４７の中心とを結ぶ線分と、トレイ正面部３１ａの中心とトレイ正面部３５ａの中心とを結ぶ線分とを対辺とし、第１表示部４１の中心とトレイ正面部３１ａの中心とを結ぶ線分と、第２表示部４７の中心とトレイ正面部３５ａの中心とを結ぶ線分とを対辺とする四角形が成立するように、第１表示部４１，第２表示部４７，トレイ正面部３１ａ，トレイ正面部３５ａの各々の配置が決定される。
【０１９６】
また、記録再生装置Ａにおいては、図１および図２に示すように、閉状態においてはトレイ正面部３１ａ・３５ａを覆い、開状態においてはトレイ正面部３１ａ・３５ａを外部に露出する正面パネル（開閉パネル）２５ａが備えられている。そして、第１表示部４１，第２表示部４７は、正面パネル２５ａにおける、上記閉状態にトレイ正面部３１ａ・３５ａと対向する面２５ｄとは反対側の面に形成されている。
【０１９７】
さらに、図１および図２に示すように、記録再生装置Ａには、上記開状態ではトレイ正面部３１ａ・３５ａと共に外部に露出し、上記閉状態ではトレイ正面部３１ａ・３５と共に正面パネル２５ａに覆われる第４表示部４８ａ、第５表示部４８ｃが備えられている。ここで、第４表示部４８ａは、第１表示部４１と同一内容の動作情報を表示し、第５表示部４８ｃは、第２表示部４７と同一内容の動作情報を表示するものである。
【０１９８】
また、記録再生装置Ａにおいては、第４表示部４８ａの中心と第５表示部４８ｃの中心とを結ぶ線分と、第１表示部４１の中心と第２表示部４７の中心とを結ぶ線分とを対辺とし、第４表示部４８ａの中心と第１表示部４１の中心とを結ぶ線分と、第２表示部４７の中心と第５表示部４８ｃの中心とを結ぶ線分とを対辺とした四角形が成立するように、第１表示部４１，第２表示部４７，第４表示部４８ａ，第５表示部４８ｃの各々の配置が決定される。
【０１９９】
なお、本発明は、着脱可能な第１記録媒体へのデータの記録及び／又は再生を行う第１装置と、着脱可能な第２記録媒体へのデータの記録及び／又は再生を行う第２装置と、前記第１装置の作動状態を報知する第１表示部と、前記第２装置の作動状態を報知する第２表示部と、を備え、前記第１装置と前記第２装置との相対的位置関係と、前記第１表示部と前記第２表示部との相対的位置関係と、が同じである記録再生装置、と表現することもできる。
【０２００】
また、本発明は、第１着脱口から着脱可能な第１記録媒体へのデータの記録及び／又は再生を行う第１装置と、第２着脱口から着脱可能な第２記録媒体へのデータの記録及び／又は再生を行う第２装置と、前記第１装置の作動状態を報知する第１表示部と、前記第２装置の作動状態を報知する第２表示部と、を備え、前記第１装置と前記第２装置との相対的位置関係と、前記第１表示部と前記第２表示部との相対的位置関係と、が同じであり、かつ、前記第１着脱口と前記第２着脱口と、前記第１表示部と前記第２表示部との相対的位置関係と、が同じである記録再生装置、とも表現することができる。
【０２０１】
また、本発明の記録再生装置は、前記記録再生装置の作動状態を報知する第３表示部を備え、前記第３表示部は、前記第１表示部と前記第２表示部との間に配置されることが好ましい。
【０２０２】
さらに、本発明の記録再生装置は、前記第１装置の記録媒体着脱部と、前記第２装置の記録媒体着脱部とを、閉状態において覆う開閉パネルを備え、前記閉状態において、前記第１表示部、前記第２表示部及び前記第３表示部を認識可能な位置に備えることが好ましい。
【０２０３】
また、本発明の記録再生装置は、前記開閉パネルの開状態において、露出する前記着脱部の取付け面に前記記録再生装置の操作釦を兼用した表示部が設けられていることが好ましい。
【０２０４】
さらに、本発明の記録再生装置は、前記第１装置の記録媒体着脱部と、前記第２装置の記録媒体着脱部とを、前記開閉パネルが開状態において露出する同一面に、前記第１表示部、前記第２表示部及び前記第３表示部とはそれぞれ異なりかつ該それぞれの表示部の表示動作と相対関係で装置の作動状態を表示する第４表示部、第５表示部及び第６表示部とを認識可能な位置に設けることが好ましい。
【０２０５】
また、前記第１装置又は前記第２装置は、一方の装置が再生専用であり、他方の装置が記録専用であってもよい。
【０２０６】
さらに、本発明の記録再生装置は、第３記録媒体へのデータの記録及び／又は再生を行う第３装置を備え、前記第３表示部は、前記第３装置の作動状態を報知する構成であってもよい。なお、前記第３装置はハードディスク装置又は半導体記憶装置であってもよい。
【０２０７】
また、本発明の記録再生装置は、前記第３表示部は、前記第１装置，第２装置，第３装置のうちの少なくとも２つの装置間の作動状態を報知する構成であってもよい。
【０２０８】
さらに、前記第３表示部は、前記記録再生装置が外部から取得した、放送信号の番組選局情報、外部入力種別情報、外部機器情報、外部機器との通信種別情報の少なくとも１つを含む情報を報知する構成であってもよい。
【０２０９】
さらに、前記第１表示部または前記第２表示部の少なくともいずれか一方は、色表示又はキャラクター表示を含む識別表示に基づいて前記第１装置または前記第２装置の作動状態を報知する構成であってもよい。さらに、前記第３表示部は、色表示又はキャラクター表示を含む識別表示に基づいて前記記録再生装置の作動状態を報知する構成であってもよい。また、前記第３表示部は、文字又は記号の少なくともいずれか一方により、前記記録再生装置の作動状態を報知する構成であってもよい。
【０２１０】
また、本発明は、１つの筐体内に、複数の記録媒体を用いてそれぞれの記録媒体に基づく情報の記録及び／又は再生を行う複数の記録再生部であって、該複数の記録再生部のうちの少なくとも２つの記録再生部は記録媒体を着脱する着脱口を有する記録再生装置において、前記筐体の一面に、前記それぞれの着脱口の位置関係と相対する位置に、前記それぞれの着脱口を有する記録再生部の作動状態を報知する第１及び第２の少なくとも２つの表示部を含む複数の表示部を設け、該複数の表示部がそれぞれの記録再生部毎に分割された領域に近接して配置されている、と表現することもできる。
【０２１１】
さらに、本発明は、１つの筐体内に、複数の記録媒体を用いてそれぞれの記録媒体に基づく情報の記録及び／又は再生を行う複数の記録再生部であって、該複数の記録再生部のうちの少なくとも２つの記録再生部は記録媒体を着脱する着脱口を有する記録再生部が設けられている記録再生装置において、前記着脱口の設けられている前記筐体の一面を覆う可動式のパネルが設けられており、前記パネル表面のそれぞれの前記着脱口の位置関係と相対する位置に、前記それぞれの着脱口を有する記録再生部の作動状態を報知する第１及び第２の少なくとも２つの表示部を含む複数の表示部を設け、該記複数の表示部がそれぞれの記録再生部毎に分割された領域に近接して配置されている、と表現することもできる。
【０２１２】
また、前記第１及び第２表示部は、前記記録媒体を象徴する円形、楕円形又はリングの形状を有する構成であってもよい。さらに、前記複数の表示部は、それぞれの前記記録再生部毎の作動状態を、色別表示又はキャラクター表示を含む識別表示により報知する構成であってもよい。また、前記複数の表示部は、近接する前記記録再生部の位置関係と前記記録再生部に関する作動状態の報知とに基づいて、前記記録再生装置間のデータの移動状態を報知する構成であってもよい。
【０２１３】
また、本発明の記録再生装置は、着脱口を有しない記録再生装置と前記第１及び第２の表示部間に設けられ前記着脱口を有しない記録再生装置の作動状態を報知する第３の表示部を有しており、前記着脱口を有しない記録再生装置の作動状態又は前記着脱口を有する記録再生装置間の作動状態の関連性を、前記第３の表示部における色別表示又はキャラクター表示を含む識別表示により報知する構成であってもよい。さらに、前記着脱口を有しない記録再生装置は、ハードディスク装置であってもよい。
【０２１４】
また、本発明の記録再生装置において、前記パネルの表面に、前記記録再生装置を操作する操作部を設けない構成であってもよい。
【０２１５】
さらに、本発明の記録再生装置において、前記パネルの裏面と前記パネルにより覆われた前記筐体の一面との少なくともいずれか一方に、前記記録再生装置を操作する操作部が設けられていてもよい。
【０２１６】
また、本発明の記録再生装置において、前記記録再生部のうちの少なくとも一方は記録媒体の片面の記録容量が８．６ギガバイト以上の光ディスクを用いた光ピックアップ装置であり、前記ハードディスク装置は、他方の前記記録再生部と前記筐体の厚さ方向に隣接して配置されている構成であってもよい。
【０２１７】
さらに、本発明の記録再生装置においては、該記録再生装置からの再生データを表示する外部表示装置の表示部（以下、「外部表示部」と称する。）に、前記記録再生部のそれぞれの作動状態又は前記記録再生装置自体の作動状態又は前記記録再生装置におけるデータの移動に関する関連情報を表示するための表示制御用の信号を出力する外部表示制御部を有する構成であってもよい。
【０２１８】
また、前記外部表示部における関連表示は、前記表示部における表示と対応する表示であってもよい。さらに、前記外部表示部における関連情報の表示は、該外部表示部の背景色又はＯＳＤ表示における記号・文字を含む表示であってもよい。また、前記外部表示部の背景色による表示は、前記記録媒体又は前記挿脱口毎に背景色を異なる色表示とした表示であってもよい。また、前記外部表示部における関連情報の表示は、現在アクセス中の記録媒体と関連する表示であってもよい。さらに、前記外部表示部における関連情報の表示は、前記表示部における表示と交番でオンオフ表示されてもよい。
【０２１９】
また、本発明の記録再生装置は、前記表示部又は外部表示部における表示を、設定又は変更する機能を有していてもよい。
【０２２０】
また、本発明は、１つの筐体内に、複数の記録媒体を用いてそれぞれの記録媒体に基づく情報の記録及び／又は再生を行う複数の記録再生部であって、該複数の記録再生部のうちの少なくとも２つの記録再生部は記録媒体を着脱する着脱口を有する記録再生装置における動作状態の表示方法であって、前記記録再生装置のそれぞれの作動状態を検出するステップと、該検出に基づいて、それぞれの前記記録再生装置の作動状態に関する情報を前記複数の電子装置毎に分割して表示させるステップであって、該表示させるステップは、複数の識別表示の変化に基づいて前記電子機器の作動状態を表示するステップを含む、と表現することもできる。
【０２２１】
上記の記録再生装置によれば、複数の記録再生部の作動状態に関する情報を視覚的に認識しやすいように表示するためにユーザは一見して複数の記録再生部の作動状態を認識することができる。
【０２２２】
また、以上示した記録再生装置の具体例としては、光学ドライブのうちの一方がブルーレイディスク装置であり、２つの光学ディスク装置を備えた２トレイ方式の記録再生装置が考えられる。また、この記録再生装置は、装置本体を横置きした場合に、横（左右）方向に２つの光学ディスク装置が隣接して配置されることが好ましい。
【０２２３】
また、以上示した記録再生装置においては、ブルーレイディスク装置とは異なる光学ディスク装置の下方又は上方にハードディスク装置が配置されていることが好ましい。これにより、ブルーレイディスク装置に対するハードディスク装置の振動の影響を抑えることができる。
【０２２４】
また、以上示した記録再生装置においては、２つの光学ディスク装置を備えているため、例えば光学ディスク装置間での直接のダビングも可能となるとともに、一方の光学ディスク装置の駆動中（アクセス中）に、もう一方の光学ディスク装置のディスクの着脱や、２つの光学ディスク装置に同時に録画することも可能になり、その際にＤＶＤのディスクにはＳＤ録画、ＢＤにはＨＤ録画が可能となる。
【０２２５】
また、以上示した記録再生装置においては、互いに近接配置されていると共にディスク毎に設けられている各表示部によって表示される色の変化によって、各ディスク装置の作動状態を認識でき、また、色の変化を視覚的な美しさとして楽しむことができる。
【０２２６】
なお、記録再生装置の中ではサーバ的な機能を有するハードディスク装置に関連する表示部を光ディスク装置に関連する表示部の間に配置することで、最もわかりやすい表示を行うことができる。
【０２２７】
また、以上示した記録再生装置においては、記録再生部が設けられている位置又は記録再生部の記録媒体の着脱口の位置と対応させて、各記録再生部の作動状況を表示する各表示部を設けていることにより、記録再生部毎の「記録モード」、「再生モード」、「停止モード」等の各種動作モードと、表示部との対応関係がわかりやすいので、複数の記録再生部が単独であるいは互いに連動動作している場合に、ユーザは、遠くからでも、一見して記録再生部それぞれの動作状態を把握することができる。つまり、記録再生部毎に設けられた各表示部であって、互いに近接する領域にそれぞれの記録再生部に対応する各表示部を設けることにより、それぞれの記録再生部の作動状態とそれらの関連性とを把握することが容易になる。
【０２２８】
また、本実施形態の記録再生装置においては、第１の記録再生部と第２の記録再生部とがそれぞれの異なった動作（再生と記録など）をしているような場合でも、これらの動作が互いに連動している場合（ダビング、コピー等再生している情報を記録している場合など）に、第１表示部と第２の表示部との間にある第３の表示部に連動状態を表示するので、これら３つの表示部の位置関係から、第３の表示部の表示が、第１、第２の記録再生部に共通の表示であることをユーザが連想することができ、装置の作動状態を一見して把握することができる。
【０２２９】
また、これら３つの表示部の位置関係から、第１と第２の記録再生部が連動している際の動作状態を、第３の表示部に容易な表示形態で、かつ、ユーザにわかりやすく表示することができる。（例えば、図２で左側のＤＶＤから右側のＢＤへのダビングの際に、中央の第３の表示部に方向を示す矢印記号、例えば「⇒」を表示する等の簡易的な表示で、ダビングしている旨とデータの動きをわかりやすく表現することができる。）
また、本実施形態の記録再生装置においては、再生・録画のみならずディスク間のダビングや裏録画などを含むバリエーションに富んだ操作が可能になる。また、二つの記録媒体着脱口と２枚のディスクを有効に使用することによって、２枚のディスクからの情報読み込みを並行して行わせ、一つの記録媒体着脱口を用いて１枚づつディスクの入替えを行う場合に生じるディスクの情報読み込みに起因するＤＶＤ固有の処理遅延を低減することができる。
【０２３０】
また、可動式のパネルを筐体に設けることにより、このパネルに設けられている第１の表示面と、パネルを開けた場合に露出される筐体面に設けられている第２の表示面と、さらにパネルの裏面とを用いて表示と操作に関連する部分を切り分けることにより、表示に関する領域の面積を大きくとることができる。特に第１表示面にディスクをイメージした大きな表示部を設けることで、ユーザにとってわかりやすい表示が可能になる。このように露出する第１の表示面に記録再生部の操作部を設けないことにより、ユーザが誤って第１表示面に触れてしまう等の誤動作も防止することができる。
【０２３１】
また、以上示した記録再生装置は、記録媒体に情報の記録又は再生を行う複数の記録再生部と、該複数の記録再生部の作動状態に関する集中表示を行う第１の作動状態表示部とを有する、とも言える。さらに、上記記録再生装置において、前記複数の記録再生部のうち少なくとも一つ以上は再生専用部であってもよい。また、前記第１の作動状態表示部は、それぞれの前記記録再生部毎に分割され隣接した領域にそれぞれ設けられ、前記記録再生部の作動状態をそれぞれ表示する複数の表示部を有していてもよい。さらに、前記複数の表示部は、複数色の色表示に基づいて前記記録再生部のそれぞれの作動状態を報知してもよい。
【０２３２】
また、上記記録再生装置においては、前記記録再生部に設けられ、該記録再生部毎の作動状態を検出する検出部を有し、該検出部の検出結果に基づいて、前記報知を行ってもよい。
【０２３３】
さらに、上記記録再生装置において、前記表示部のうちの少なくとも１つは、前記記録再生部の作動状態を文字又は記号のうち少なくとも一方により表示する文字／記号表示部であってもよい。また、前記文字/記号表示部は、文字列又は記号列の少なくとも一方をスクロール表示することとしてもよい。また、前記文字/記号表示部は、文字又は記号を表示するＬＣＤ表示部と、該ＬＣＤ表示部のバックライト又はフロントライトを兼ねる複数色の発光が可能なＬＥＤ光源部と、を有していていてもよい。
【０２３４】
また、上記記録再生装置において、上記記録再生部のうちの少なくとも１つはハードディスク装置であり、該ハードディスク装置に対応する前記表示部が、その他の記録再生部に対応するそれぞれの前記表示部の間に設けられている構成としてもよい。
【０２３５】
また、上記記録再生部のうちの少なくとも１つは半導体記憶装置であり、該半導体記憶装置に対応する上記表示部が、その他の記録再生部に対応するそれぞれの前記表示部の間に設けられていてもよい。さらに、前記表示部は、円形又はリング形状の発光領域を有していてもよい。
【０２３６】
また、上記記録再生装置において、上記記録再生部は、筐体内に設けられており、上記表示部は前記筐体の一面に設けられている構成であってもよい。
【０２３７】
さらに、上記記録再生装置において、上記筐体の設置方向を検出する位置センサーを構成し、該位置センサーにより検出された前記筐体の設置位置に基づいて、前記表示部における表示方向を設置状況に応じて認識しやすい表示に制御してもよい。
【０２３８】
また、上記記録再生装置において、上記筐体に開閉可能に設けられたパネルを構成し、上記第１の作動状態表示部は、前記パネルの閉状態における筐体表面に設けられている構成であってもよい。
【０２３９】
さらに、上記記録再生装置において、前記パネルの開状態における前記筐体の一面に設けられ、前記記録再生部毎に分割された領域に近接して設けられ該記録再生部の作動状態を表示する第２の作動状態表示部を構成してもよい。
【０２４０】
また、上記記録再生装置において、上記パネルの前記第１の作動状態表示部が設けられている面と反対側の面に、前記記録再生部の動作に関する操作を行う操作部を設けてもよい。
【０２４１】
さらに、上記第１の作動状態表示部と上記第２の作動状態表示部とが、共通の光源を有するようにしてもよい。
【０２４２】
また、本実施形態の記録再生装置は、第１の方向に厚みが薄い筐体と、該筐体内に配置される第１の光学ディスク装置と、前記筐体内に配置され、前記第１の光学ディスク装置と隣接して前記第１の方向と交差する第２の方向に設けられる第２の光学ディスク装置とを備えていると表現することもできる。
【０２４３】
また、上記記録再生装置においては、前記筐体の一面に、前記第１の光学ディスク装置と前記第２の光学ディスク装置とを象徴する形状を有するとともに、前記第１の光学ディスク装置と前記第２の光学ディスク装置との作動状況に関する表示を行う表示部が設けられていてもよい。
【０２４４】
また、上記記録再生装置において、前記第２の光学ディスク装置は、ブルーレイディスクを動作させることができるブルーレイディスク装置であり、さらに、ハードディスク装置を備える構成であってもよい。
【０２４５】
また、上記記録再生装置において、上記ハードディスク装置は、前記第１の光学ディスク装置と前記第１の方向に隣接して配置されていてもよい。
【０２４６】
さらに、本実施形態の記録再生装置は、筐体と、該筐体内に配置される第１から第３までの少なくとも３つのディスク装置と、上記筐体の一面に設けられ、第１の光学ディスク装置と、ハードディスク装置と、第２の光学ディスク装置とのそれぞれのディスク毎に分割された３つの領域に近接して設けられ順番に並ぶ第１から第３までの表示部からなる作動状態表示部と、上記ディスク装置のそれぞれに設けられ、該ディスク装置毎の作動状態を検出する検出部と、該検出部の検出結果に基づいて、それぞれのディスク装置の作動状態を前記第１から第３までの表示部に表示させる複数の識別表示により報知する表示制御を行う表示制御部とを有し、上記複数の色表示は、ディスク装置が操作可能である旨を報知する第１の識別表示と、ディスク装置が再生中である旨を報知する第２の識別表示と、ディスク装置が録画中である旨を報知する第３の識別表示と、を含む、と表現することもできる。
【０２４７】
また、上述した各識別表示は、色に基づく色表示であり、前記ハードディスク装置の作動状態を表示する第２の表示部は、前記識別表示に加えて文字又は記号表示によりデータの移動情報を報知してもよい。
【０２４８】
さらに、本実施形態の記録再生装置は、筐体と、該筐体内に配置される複数の電子装置と、を備えた電子機器であって、前記筐体の一面に、前記複数の電子装置に対応して分割され近接した領域に設けられた複数の表示部からなる作動状態表示部と、前記複数の電子装置のそれぞれに設けられ、該電子装置毎の作動状態を検出する検出部と、該検出部の検出結果に基づいて、それぞれの前記電子装置の作動状態を前記複数の表示部に表示させる複数の識別表示を含む表示の変化に基づいて報知するように前記作動状態表示部の表示制御を行う表示制御部とを有する電子機器、とも表現できる。
【０２４９】
また、本実施形態は、上記電子装置のそれぞれの作動状態を検出するステップと、該検出に基づいて、それぞれの前記電子装置の作動状態に関する情報を上記複数の電子装置毎に分割するとともにそれぞれの電子装置の関連について集中して表示させるステップとを有する表示方法、とも表現できる。また、上記表示させるステップは、複数の識別表示の変化に基づいて前記電子機器の作動状態を表示するステップを含めてもよい。また、上記各ステップはコンピュータがプログラムを実行することによって実現されるものであってもよい。
【０２５０】
上記記録再生装置によれば、複数の記録再生部の作動状態に関する情報を視覚的に認識しやすいように一見して認識することができる。
【０２５１】
例えば、前記複数の表示部は、複数色の色表示に基づいて前記記録再生部のそれぞれの作動状態を報知することも可能であり、前記表示部のうちの少なくとも１つを、前記記録再生部の作動状態を文字又は記号のうち少なくとも一方により表示する文字／記号表示部とすることも可能である。この際、前記文字／記号表示部は、文字列又は記号列の少なくとも一方をスクロール表示することにより、表示の認識がしやすくなる。
【０２５２】
また、ブルーレイディスク装置とは異なる光学ディスク装置の下方又は上方にハードディスク装置が配置されていることが好ましい。これにより、ブルーレイディスク装置に対するハードディスク装置の振動の影響を抑えることができる。
【０２５３】
また、以上の記録再生装置は、２つの光学ディスク装置を備えているため、例えば、光学ディスク装置間での直接のダビングも可能となるとともに、一方の光学ディスク装置を駆動中（アクセス中）に、もう一方の光学ディスク装置のディスクの挿脱や、２つの光学ディスク装置に同時に録画することも可能になり、その際にＤＶＤのディスクにはＳＤ録画、ＢＤにはＨＤ録画が可能となる。
【０２５４】
また、以上の記録再生装置は、２トレイ方式であって、厚みが薄い第１の方向を有する筐体と、該筐体内に配置される第１の光学ディスク装置と、前記第１の光学ディスク装置と前記第１の方向と交差する第２の方向に隣接して前記筐体内に配置される第２の光学ディスク装置とを備えている、とも表現することができる。また、以上の記録再生装置は、前記筐体の一面を形成する正面パネルに、前記第１及び第２の光学ディスク装置と前記ハードディスク装置とのそれぞれのディスク毎に分割された領域に近接して設けられる複数の表示部からなる第１の作動状態表示部と、前記ディスク装置のそれぞれに設けられ、該ディスク装置毎の作動状態を検出する検出部と、該検出部の検出結果に基づいて、それぞれのディスク装置の作動状態を前記複数の表示部に表示させる複数の色表示により報知するように前記第１の作動状態表示部の表示制御を行う表示制御部とを有していてもよい。これにより、複数の光学ディスク装置とハードディスク装置とに関する作動状態を視覚的に認識しやすい状態で表示させることができる。また、ディスク毎に分割された領域に近接して設けられ作動状態により生じる色の変化を視覚的な美しさとして楽しむことができる。
【０２５５】
なお、ディスク装置の中ではサーバ的な機能を有するハードディスク装置に関連する表示部を光ディスク装置に関連する表示部の間に配置することで、最もわかりやすい表示を行うことができる。
【０２５６】
以上示した記録再生装置においては、複数の記録再生部の作動状況を集中して表示させることにより、複雑な動作状況であっても一見して把握することができる。この際、記録再生部毎に隣接し分割された互いに異なる領域にそれぞれの記録再生部に対応する表示部を設けることにより、それぞれの記録再生部の作動状態とそれらの関連性とを集中表示部を確認するだけで把握することができる。
【０２５７】
以上示した記録再生装置においては、再生・録画のみならずディスク間のダビングや裏録画などを含むバリエーションに富んだ操作が可能になる上に、２ディスクの出し入れ時におけるディスクの情報読み込みに起因するＤＶＤ固有の遅延を２ディスクの情報読み込みを並行して行わせることにより低減することができる。
【０２５８】
また、正面パネルを例えば開閉式とし、正面パネルに設けられている第１の表示面と、正面パネルを開けた場合に露出される筐体面に設けられている第２の表示面と、を有しているため、表示に関する領域の面積を大きくとることができ、特に第１表示面にディスクをイメージした大きな表示部を設けることで、ユーザにとってわかりやすい表示が可能になる。
【０２５９】
また、２つの光学ディスクとＨＤＤとの３つのディスク装置の動作状態を正面パネルに設けられたディスク装置毎に分割された表示部の色の変化などの識別表示を作動状況に応じて変化させることにより簡単に視認することができるため、美観を維持しつつ動作状態を迅速に把握することができる。
【０２６０】
また、表示部は、縦置き横置きのいずれにも対応して違和感無くそれぞれの見やすい方向で表示させる制御を行うことができる。特に、ＢＤを含む複数の光ディスク装置を備えた記録再生装置の使い勝手を良くすることができる。
【０２６１】
また、本発明は上述した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【０２６２】
発明を実施するための最良の形態の項においてなした具体的な実施態様または実施例は、あくまでも、本発明の技術内容を明らかにするものであって、そのような具体例にのみ限定して狭義に解釈されるべきものではなく、本発明の精神と次に記載する特許請求事項の範囲内で、いろいろと変更して実施することができるものである。
【産業上の利用可能性】
【０２６３】
本発明は、記録再生装置の表示技術として利用できる。また、記録再生装置以外のＡＶ電子機器に適用することも可能である。
【図面の簡単な説明】
【０２６４】
【図１】本実施の形態による記録再生装置の外観構成例を示す斜視図であり表面パネルを閉じた状態を示す図である。
【図２】図１に示した記録再生装置であって、表面パネルを開いた状態を示す斜視図である。
【図３】（ａ）は、図１および図２に示す記録再生装置であって、図１に対応する記録再生装置の正面図である。（ｂ）は、図１および図２に示す記録再生装置であって、図２に対応する記録再生装置の正面図である。（ｃ）は、図１および図２に示す記録再生装置であって、図２に対応する記録再生装置の上面図（一部を表す）である。
【図４】本実施の形態による記録再生装置の内部に配置されている各々のディスク装置の配置例を示す図である。
【図５】本実施の形態による記録再生装置の内部構成例を示す機能ブロック図である。
【図６】本実施の形態による記録再生装置の制御処理等を行う各種プログラムを示す図である。
【図７】（ａ）は、記録再生装置を遠隔操作することができるリモートコントロール装置（「リモコン装置」とも称する）の構成例を示す図であって、テレビの操作と記録再生装置の操作とを兼用できるタイプのリモコン装置を示す図である。（ｂ）は、記録再生装置を遠隔操作することができるリモートコントロール装置の構成例を示す図であって、記録再生装置専用のリモコン装置を示す図である。
【図８】記録再生装置の処理の流れを示すフローチャートであって、正面パネルに形成されている表示ユニットに含まれる各表示部を制御する処理の流れを示したフローチャートである。
【図９】記録再生装置の処理の流れを示すフローチャートであって、正面パネルを開いたときに露出する面上に形成されている内側表示ユニットに含まれる各表示部を制御する処理の流れを示したフローチャートである。
【図１０】正面パネルの各表示部について、記録再生装置の動作状況に応じた表示例を示す模式図である。
【図１１】正面パネルの各表示部について、記録再生装置の動作状況に応じた表示例を示す模式図であって、図１０に示した表示例とは異なる表示例を示す模式図である。
【図１２】正面パネルの各表示部について、記録再生装置の動作状況に応じた表示例を示す模式図であって、図１０および図１１とは異なる表示例を示す模式図である。
【図１３】正面パネルの各表示部について、記録再生装置の動作状況に応じた表示例を示す模式図であって、図１０ないし図１２とは異なる表示例を示す模式図である。
【図１４】正面パネルの各表示部について、記録再生装置の動作状況に応じた表示例を示す模式図であって、図１０ないし図１３とは異なる表示例を示す模式図である。
【図１５】（ａ）は、正面パネルに形成されている第二表示部について、記録再生装置の動作状況に応じた表示例を示す模式図であって、文字表示の例を示した模式図である。（ｂ）は、正面パネルに形成されている第二表示部について、記録再生装置の動作状況に応じた表示例を示す模式図であって、スクロール表示の例を示した模式図である。
【図１６】（ａ）は、正面パネルの各表示部について、記録再生装置の動作状況に応じた表示例を示す模式図であって、記録再生装置の電源起動時における表示例を示した模式図である。（ｂ）は、正面パネルの各表示部について、記録再生装置の動作状況に応じた表示例を示す模式図であって、ディスク読み込み時における表示例を示した模式図である。
【図１７】（ａ）は、正面パネルの各表示部の変形例を示した模式図であり、各ディスク装置に関する各種情報の表示と各種情報の入力受付とを兼用する各表示部を示す模式図である。（ｂ）は、（ａ）に示す表示部であって、色毎に別々の発光領域を有している表示部を示す模式図である。
【図１８】（ａ）は、正面パネルの各表示部についての表示態様を示した模式図であって、ＨＤＤ装置の再生動作中における表示態様を示した図である。（ｂ）は、正面パネルの各表示部についての表示態様を示した模式図であって、ＨＤＤ装置が再生動作から停止動作に移行した場合の表示態様を示した図である。（ｃ）は、正面パネルの各表示部についての表示態様を示した模式図であって、ダビングボタンが押された場合の表示態様を示した図である。（ｄ）は、正面パネルの各表示部についての表示態様を示した模式図であって、ＨＤＤ装置からＤＶＤ装置へダビング処理が行われている際の表示態様を示した模式図である。
【図１】
0004142079.tif 000002
【図２】
0004142079.tif 000003
【図３（ａ）】
0004142079.tif 000004
【図３（ｂ）】
0004142079.tif 000005
【図３（ｃ）】
0004142079.tif 000006
【図４】
0004142079.tif 000007
【図５】
0004142079.tif 000008
【図６】
0004142079.tif 000009
【図７（ａ）】
0004142079.tif 000010
【図７（ｂ）】
0004142079.tif 000011
【図８】
0004142079.tif 000012
【図９】
0004142079.tif 000013
【図１０】
0004142079.tif 000014
【図１１】
0004142079.tif 000015
【図１２】
0004142079.tif 000016
【図１３】
0004142079.tif 000017
【図１４】
0004142079.tif 000018
【図１５（ａ）】
0004142079.tif 000019
【図１５（ｂ）】
0004142079.tif 000020
【図１６（ａ）】
0004142079.tif 000021
【図１６（ｂ）】
0004142079.tif 000022
【図１７（ａ）】
0004142079.tif 000023
【図１７（ｂ）】
0004142079.tif 000024
【図１８（ａ）】
0004142079.tif 000025
【図１８（ｂ）】
0004142079.tif 000026
【図１８（ｃ）】
0004142079.tif 000027
【図１８（ｄ）】
0004142079.tif 000028